(57)【特許請求の範囲】
【請求項１】
ユーザ機器（ＵＥ）におけるワイヤレス通信のための方法であって、
基地局から、無認可無線周波数スペクトル帯域中での送信のための送信機会に関連付けられたフレームフォーマットインジケータを受信することと、
前記フレームフォーマットインジケータに少なくとも一部基づいて、前記送信機会のための時分割複信（ＴＤＤ）構成を決定することと、
を備え、
前記フレームフォーマットインジケータは、前記ＴＤＤ構成に関連付けられたコードワードを備え、
前記コードワードは、前記送信機会ための特殊サブフレームＳに先立って発生するダウンリンクサブフレームの数を指示す、方法。
【請求項２】
ビットストリーム中で前記フレームフォーマットインジケータを受信すること、ここにおいて、前記ビットストリームの長さは、前記コードワードの巡回拡張の回数によって決定される、
をさらに備える、請求項１に記載の方法。
【請求項３】
前記フレームフォーマットインジケータは、リソースブロック（ＲＢ）の少なくとも１つの拡大リソース要素グループ（ｅＲＥＧ）によって運ばれる、または、
前記フレームフォーマットインジケータは、第２の基地局からの第２のフレームフォーマットインジケータと多重化される、請求項１に記載の方法。
【請求項４】
前記送信機会のダウンリンクサブフレームの前に、直交周波数分割多重（ＯＦＤＭ）シンボル中で前記フレームフォーマットインジケータを受信することをさらに備える、または、
前記送信機会の第１のサブフレームの前に、前記フレームフォーマットインジケータを受信することをさらに備える、または、
前記送信機会の中間部分の間に、前記フレームフォーマットインジケータを受信することをさらに備える、または、
前記送信機会の第１のダウンリンクサブフレームの終了前に、前記フレームフォーマットインジケータを復号することをさらに備える、または、
前記送信機会のサブフレーム中に、第２のフレームフォーマットインジケータを受信すること、および、どのサブフレームで前記第２のフレームフォーマットインジケータが受信されるかに少なくとも一部基づいて、前記第２のフレームフォーマットインジケータを無効にすること、をさらに備える、
請求項１に記載の方法。
【請求項５】
前記ＴＤＤ構成は、１次セルからのクロスキャリアグラントに対応するアップリンクサブフレーム、自己スケジュールされたアップリンクグラントに対応するアップリンクサブフレーム、ダウンリンクサブフレームおよびアップリンクサブフレーム、またはそれらの組合せのうちの少なくとも１つを備える、請求項１に記載の方法。
【請求項６】
基地局におけるワイヤレス通信のための方法であって、
無認可無線周波数スペクトル帯域中での送信のための送信機会について時分割複信（ＴＤＤ）構成を決定することと、
ユーザ機器（ＵＥ）に、前記送信機会に関連付けられたフレームフォーマットインジケータを送信することと、前記フレームフォーマットインジケータは前記ＴＤＤ構成に少なくとも一部基づく、
を備え、
前記フレームフォーマットインジケータは、前記ＴＤＤ構成に関連付けられたコードワードを備え、
前記コードワードは、前記送信機会ための特殊サブフレームＳに先立って発生するダウンリンクサブフレームの数を指示する、方法。
【請求項７】
前記コードワードを、基地局に関連付けられたシーケンスでスクランブルすることをさらに備える、請求項６に記載の方法。
【請求項８】
前記スクランブルされたコードワードを、４位相シフトキーイング（ＱＰＳＫ）で変調することをさらに備える、請求項７に記載の方法。
【請求項９】
前記コードワードを、２つのアンテナポートに関連付けられた空間周波数ブロックコード（ＳＦＢＣ）シンボルにマップすることをさらに備える、または、
前記コードワードを巡回的に数回拡張することと、前記フレームフォーマットインジケータをビットストリーム中で送信することと、ここにおいて、前記ビットストリームの長さは、前記コードワードの巡回拡張の回数によって決定される、をさらに備える、請求項６に記載の方法。
【請求項１０】
前記フレームフォーマットインジケータを、第２の基地局からの第２のフレームフォーマットインジケータと多重化することをさらに備える、または、
前記送信機会のダウンリンクサブフレームの前に、直交周波数分割多重（ＯＦＤＭ）シンボル中で前記フレームフォーマットインジケータを送信することをさらに備える、または、
前記送信機会の第１のサブフレームの前に、前記フレームフォーマットインジケータを送信することをさらに備える、または、
前記送信機会の中間部分の間に、前記フレームフォーマットインジケータを送信することをさらに備える、または
前記送信機会のサブフレーム中に、第２のフレームフォーマットインジケータを送信することをさらに備える、または、
拡張クリアチャネル評価（ｅＣＣＡ）を実行することと、前記ｅＣＣＡに少なくとも一部基づいて前記ＴＤＤ構成を決定することと、をさらに備える、
請求項６に記載の方法。
【請求項１１】
基地局におけるワイヤレス通信のための方法であって、
複数のＴＤＤ構成を識別することと、ここにおいて、前記複数のＴＤＤ構成の各々は、異なる数のアップリンクサブフレームおよびダウンリンクサブフレームを備える、
無認可無線周波数スペクトル帯域中での送信のための送信機会について、前記複数のＴＤＤ構成から利用可能ＴＤＤ構成を識別することと、ここにおいて、前記利用可能ＴＤＤ構成は、ユーザ機器（ＵＥ）に送信されるフレームフォーマットインジケータによって指示される、
を備え、
前記フレームフォーマットインジケータは、前記利用可能ＴＤＤ構成に関連付けられたコードワードを備え、前記コードワードは、前記送信機会ための特殊サブフレームＳに先立って発生するダウンリンクサブフレームの数を指示する、方法。
【請求項１２】
前記複数のＴＤＤ構成の各々は、１０個のサブフレームを備え、
前記複数のＴＤＤ構成の各々は、少なくとも１つの特殊サブフレームを備える、または、
前記複数のＴＤＤ構成の各々の第１のサブフレームは、ダウンリンクサブフレームを備える、または、
前記複数のＴＤＤ構成の各々の最終サブフレームは、特殊サブフレームを備える、または、
前記複数のＴＤＤ構成は、
１つのダウンリンクサブフレームと、第１の特殊サブフレームと、７つのアップリンクサブフレームと、第２の特殊サブフレームとを備える第１のＴＤＤ構成と、
２つのダウンリンクサブフレームと、第１の特殊サブフレームと、６つのアップリンクサブフレームと、第２の特殊サブフレームとを備える第２のＴＤＤ構成と、
３つのダウンリンクサブフレームと、第１の特殊サブフレームと、５つのアップリンクサブフレームと、第２の特殊サブフレームとを備える第３のＴＤＤ構成と、
４つのダウンリンクサブフレームと、第１の特殊サブフレームと、４つのアップリンクサブフレームと、第２の特殊サブフレームとを備える第４のＴＤＤ構成と、
５つのダウンリンクサブフレームと、第１の特殊サブフレームと、３つのアップリンクサブフレームと、第２の特殊サブフレームとを備える第５のＴＤＤ構成と、
６つのダウンリンクサブフレームと、第１の特殊サブフレームと、２つのアップリンクサブフレームと、第２の特殊サブフレームとを備える第６のＴＤＤ構成と、
７つのダウンリンクサブフレームと、第１の特殊サブフレームと、１つのアップリンクサブフレームと、第２の特殊サブフレームとを備える第７のＴＤＤ構成と、
９つのダウンリンクサブフレームと第２の特殊サブフレームとを備える第８のＴＤＤ構成と、を備える、
請求項１１に記載の方法。
【請求項１３】
請求項１−１２のうちのいずれか一項のステップを実行するように構成された手段を備える、ワイヤレス通信のための装置。
【発明の詳細な説明】
【優先権の主張】
【０００１】
相互参照
本特許出願は、各々が本出願の譲受人に譲渡されている、２０１５年７月２３日に出願された、「Ｔｅｃｈｎｉｑｕｅｓ  ｆｏｒ  Ｉｎｄｉｃａｔｉｎｇ  ａ  Ｆｒａｍｅ  Ｆｏｒｍａｔ  ｆｏｒ  Ｔｒａｎｓｍｉｓｓｉｏｎｓ  Ｕｓｉｎｇ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄｓ」と題する、Ｙｅｒｒａｍａｌｌｉらによる米国特許出願第１４／８０７，０６９号、および２０１４年８月４日に出願された、「Ｔｅｃｈｎｉｑｕｅｓ  ｆｏｒ  Ｉｎｄｉｃａｔｉｎｇ  ａ  Ｆｒａｍｅ  Ｆｏｒｍａｔ  ｆｏｒ  Ｔｒａｎｓｍｉｓｓｉｏｎｓ  Ｕｓｉｎｇ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄｓ」と題する、Ｙｅｒｒａｍａｌｌｉらによる米国仮特許出願第６２／０３２，９５３号の優先権を主張する。
【技術分野】
【０００２】
本開示は、たとえば、ワイヤレス通信システムに関し、より詳細には、無認可無線周波数スペクトル帯域を使う送信用のフレームフォーマットを指示するための技法に関する。
【背景技術】
【０００３】
[0004]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0005]例として、ワイヤレス多元接続通信システムは、別名ユーザ機器（ＵＥ）として知られる複数の通信デバイスのための通信を各々が同時にサポートする、いくつかの基地局を含み得る。基地局は、（たとえば、基地局からＵＥへの送信のための）ダウンリンクチャネルと、（たとえば、ＵＥから基地局への送信のための）アップリンクチャネルとの上でＵＥと通信し得る。
【０００５】
[0006]いくつかの通信モードは、セルラーネットワークの様々な無線周波数スペクトル帯域（たとえば、認可無線周波数スペクトル帯域および／または無認可無線周波数スペクトル帯域）を介するＵＥとの通信を可能にすることができる。セルラーネットワークにおけるデータトラフィックの増加とともに、少なくとも一部のデータトラフィックの、無認可無線周波数スペクトル帯域へのオフローディングは、セルラー事業者にデータ送信容量を拡大する機会を提供することができる。無認可無線周波数スペクトル帯域へのアクセスを獲得し、無認可無線周波数スペクトル帯域を介して通信する前に、送信装置は、いくつかの例では、無認可無線周波数スペクトル帯域へのアクセスを得るために、リッスンビフォアトーク（ＬＢＴ：Listen Before Talk）プロトコルを実装し得る。ＬＢＴプロトコルは、無認可無線周波数スペクトル帯域のチャネルが利用可能であるかどうかを決定するためにクリアチャネル評価（ＣＣＡ：clear channel assessment）手順を実施することを含み得る。様々なフォーマットの無線フレームが、アップリンク通信およびダウンリンク通信に無認可無線周波数スペクトル帯域の利用可能チャネルを使用する送信に使われ得る。したがって、無認可無線周波数スペクトル帯域を使う送信用のフレームフォーマットを指示するための技法が必要である。
【発明の概要】
【０００６】
[0007]本開示は、たとえば、無認可無線周波数スペクトル帯域を使う送信用のフレームフォーマットを指示するための１つまたは複数の技法に関する。ＵＥは、基地局から、無認可無線周波数スペクトル帯域中での送信のための送信機会に関連付けられたフレームフォーマットインジケータを受信し得る。ＵＥは、フレームフォーマットインジケータに少なくとも部分的に基づいて、送信機会のための時分割複信（ＴＤＤ）構成を決定することができる。
【０００７】
[0008]ある例では、ワイヤレス通信のための方法について説明する。一例では、方法は、基地局から、無認可無線周波数スペクトル帯域中での送信のための送信機会に関連付けられたフレームフォーマットインジケータを受信することと、フレームフォーマットインジケータに少なくとも部分的に基づいて、送信機会のための時分割複信（ＴＤＤ）構成を決定することとを含み得る。
【０００８】
[0009]いくつかの例では、フレームフォーマットインジケータは、ＴＤＤ構成に関連付けられたコードワードを備える。いくつかの例では、コードワードは、基地局に関連付けられたシーケンスでスクランブルされる。いくつかの例では、シーケンスは、ＰＬＭＮ（public land mobile network）識別にさらに関連付けられる。いくつかの例では、スクランブルされたコードワードは、４位相シフトキーイング（ＱＰＳＫ）で変調される。いくつかの例では、コードワードは、２つのアンテナポートに関連付けられた空間周波数ブロックコード（ＳＦＢＣ:space frequency block code）シンボルにマップされる。いくつかの例では、２つのアンテナポートは、チャネル使用ビーコン信号（ＣＵＢＳ：channel usage beacon signal）送信用のアンテナポートに対応する。いくつかの例では、ＳＦＢＣシンボルは、拡大リソース要素グループ（ｅＲＥＧ：enhanced resource element group）にマップされる。いくつかの例では、方法は、ビットストリーム中でフレームフォーマットインジケータを受信すること、を含み、ビットストリームの長さは、コードワードの巡回拡張の回数（a number of cyclical extensions）によって決定される。
【０００９】
[0010]いくつかの例では、コードワードはコードの繰り返しを備える。いくつかの例では、コードはＴＤＤ構成を指示する。いくつかの例では、コードは、ＴＤＤ構成を指示する３ビットワードに少なくとも部分的に基づく。いくつかの例では、コードは３ビットワードのパリティチェックにさらに少なくとも部分的に基づき、パリティチェックは、３ビットワードのビットに対するＸＯＲ演算を備える。いくつかの例では、コードは、２つの特殊サブフレームの間のダウンリンクサブフレームの数を指示する。いくつかの例では、フレームフォーマットインジケータは、リソースブロック（ＲＢ）の少なくとも１つの拡大リソース要素グループ（ｅＲＥＧ）によって運ばれる。いくつかの例では、ＲＢは、無認可無線周波数スペクトル帯域の１つのチャネルの複数のＲＢのうちの１つであり、複数のＲＢは、チャネルのエッジにあるＲＢ、およびチャネルの直流（ＤＣ）キャリアにあるＲＢは除く。いくつかの例では、フレームフォーマットインジケータは、第２の基地局からの第２のフレームフォーマットインジケータと多重化される。
【００１０】
[0011]いくつかの例では、方法は、送信機会のダウンリンクサブフレームの前に、直交周波数分割多重（ＯＦＤＭ）シンボル中でフレームフォーマットインジケータを受信することを含み得る。いくつかの例では、ＯＦＤＭシンボルはチャネル使用ビーコン信号（ＣＵＢＳ）を備える。いくつかの例では、方法は、送信機会の第１のサブフレームの前に、フレームフォーマットインジケータを受信することを含み得る。いくつかの例では、方法は、送信機会の中間部分の間に、フレームフォーマットインジケータを受信することを含み得る。いくつかの例では、方法は、送信機会の第１のダウンリンクサブフレームの終了前に、フレームフォーマットインジケータを復号することを含み得る。いくつかの例では、方法は、送信機会のサブフレーム中に、第２のフレームフォーマットインジケータを受信することと、どのサブフレームで第２のフレームフォーマットインジケータが受信されるかに少なくとも部分的に基づいて、第２のフレームフォーマットインジケータを無効にすることとを含み得る。いくつかの例では、ＴＤＤ構成は、１次セル（primary cell）からのクロスキャリアグラント（cross-carrier grant）に対応する少なくとも１つのアップリンクサブフレームを備える。いくつかの例では、クロスキャリアグラントは、アップリンクサブフレームよりも少なくとも４サブフレーム前に発生している。
【００１１】
[0012]いくつかの例では、ＴＤＤ構成は、自己スケジュールされた（self-scheduled）アップリンクグラントに対応する少なくとも１つのアップリンクサブフレームを備える。いくつかの例では、自己スケジュールされたアップリンクグラントは、アップリンクサブフレームの４サブフレームよりも前に発生している。いくつかの例では、ＴＤＤ構成は、基地局の拡張クリアチャネル評価（ｅＣＣＡ：extended clear channel assessment）に少なくとも部分的に基づく。いくつかの例では、基地局のｅＣＣＡは、ＴＤＤ構成のアップリンクサブフレームよりも、少なくとも４サブフレーム前に完了される。いくつかの例では、ＴＤＤ構成は、少なくとも１つのダウンリンクサブフレームと少なくとも１つのアップリンクサブフレームとを備える。いくつかの例では、ＴＤＤ構成は第１の特殊サブフレームと第２の特殊サブフレームとをさらに備え、第１の特殊サブフレームはアップリンクチャネル使用ビーコン信号（Ｕ−ＣＵＢＳ）を備え、第２の特殊サブフレームはダウンリンクチャネル使用ビーコン信号（Ｄ−ＣＵＢＳ）を備える。いくつかの例では、アップリンクサブフレームは第１の特殊サブフレームの後に続き、ダウンリンクサブフレームは第２の特殊サブフレームの後に続く。
【００１２】
[0013]ある例では、ワイヤレス通信のための方法について説明する。一例では、方法は、無認可無線周波数スペクトル帯域中での送信のための送信機会について時分割複信（ＴＤＤ）構成を決定することと、ＵＥに、送信機会に関連付けられたフレームフォーマットインジケータを送信することと、フレームフォーマットインジケータはＴＤＤ構成に少なくとも部分的に基づく、を含み得る。
【００１３】
[0014]いくつかの例では、フレームフォーマットインジケータは、ＴＤＤ構成に関連付けられたコードワードを備える。いくつかの例では、方法は、コードワードを、基地局に関連付けられたシーケンスでスクランブルすることを含み得る。いくつかの例では、シーケンスは、ＰＬＭＮ（public land mobile network）識別にさらに関連付けられる。いくつかの例では、方法は、スクランブルされたコードワードを、４位相シフトキーイング（ＱＰＳＫ）で変調することを含み得る。いくつかの例では、方法は、コードワードを、２つのアンテナポートに関連付けられた空間周波数ブロックコード（ＳＦＢＣ）シンボルにマップすることを含み得る。いくつかの例では、２つのアンテナポートは、チャネル使用ビーコン信号（ＣＵＢＳ）送信用のアンテナポートに対応する。いくつかの例では、ＳＦＢＣシンボルは、拡大リソース要素グループ（ｅＲＥＧ）にマップされる。いくつかの例では、方法は、コードワードを巡回的に数回拡張することと、フレームフォーマットインジケータをビットストリーム中で送信することと、を含み得、ビットストリームの長さは、コードワードの巡回拡張の回数によって決定される。
【００１４】
[0015]いくつかの例では、コードワードはコードの繰り返しを含み得る。いくつかの例では、コードはＴＤＤ構成を指示する。いくつかの例では、コードは、ＴＤＤ構成を指示する３ビットワードに少なくとも部分的に基づく。いくつかの例では、コードは３ビットワードのパリティチェックにさらに少なくとも部分的に基づき、パリティチェックは、３ビットワードのビットに対するＸＯＲ演算を備える。いくつかの例では、コードは、２つの特殊サブフレームの間のダウンリンクサブフレームの数を指示する。いくつかの例では、フレームフォーマットインジケータは、リソースブロック（ＲＢ）の少なくとも１つの拡大リソース要素グループ（ｅＲＥＧ）によって運ばれる。いくつかの例では、ＲＢは、無認可無線周波数スペクトル帯域の１つのチャネルの複数のＲＢのうちの１つであり、複数のＲＢは、チャネルのエッジにあるＲＢ、およびチャネルの直流（ＤＣ）キャリアにあるＲＢを除く。いくつかの例では、方法は、フレームフォーマットインジケータを、第２の基地局からの第２のフレームフォーマットインジケータと多重化することを含み得る。
【００１５】
[0016]いくつかの例では、方法は、送信機会のダウンリンクサブフレームの前に、直交周波数分割多重（ＯＦＤＭ）シンボル中でフレームフォーマットインジケータを送信することを含み得る。いくつかの例では、ＯＦＤＭシンボルはチャネル使用ビーコン信号（ＣＵＢＳ）を備える。いくつかの例では、方法は、送信機会の第１のサブフレームの前に、フレームフォーマットインジケータを送信することを含み得る。いくつかの例では、方法は、送信機会の中間部分の間に、フレームフォーマットインジケータを送信することを含み得る。いくつかの例では、方法は、送信機会のサブフレーム中に、第２のフレームフォーマットインジケータを送信することを含み得る。いくつかの例では、ＴＤＤ構成は、１次セルからのクロスキャリアグラントに対応する少なくとも１つのアップリンクサブフレームを備える。いくつかの例では、クロスキャリアグラントは、アップリンクサブフレームよりも少なくとも４サブフレーム前に発生している。いくつかの例では、ＴＤＤ構成は、自己スケジュールされたアップリンクグラントに対応する少なくとも１つのアップリンクサブフレームを備える。いくつかの例では、自己スケジュールされたアップリンクグラントは、アップリンクサブフレームの４サブフレームよりも前に発生している。いくつかの例では、方法は、拡張クリアチャネル評価（ｅＣＣＡ）を実施することと、ｅＣＣＡに少なくとも部分的に基づいてＴＤＤ構成を決定することとを含み得る。いくつかの例では、ｅＣＣＡは、ＴＤＤ構成のアップリンクサブフレームよりも、少なくとも４サブフレーム前に完了される。
【００１６】
[0017]いくつかの例では、ＴＤＤ構成は、少なくとも１つのダウンリンクサブフレームと少なくとも１つのアップリンクサブフレームとを備える。いくつかの例では、ＴＤＤ構成は第１の特殊サブフレームと第２の特殊サブフレームとをさらに備え、第１の特殊サブフレームはアップリンクチャネル使用ビーコン信号（Ｕ−ＣＵＢＳ）を備え、第２の特殊サブフレームはダウンリンクチャネル使用ビーコン信号（Ｄ−ＣＵＢＳ）を備える。いくつかの例では、アップリンクサブフレームは第１の特殊サブフレームの後に続き、ダウンリンクサブフレームは第２の特殊サブフレームの後に続く。
【００１７】
[0018]ある例では、ワイヤレス通信のための方法について説明する。一例では、方法は、複数のＴＤＤ構成を識別することと、ここにおいて、複数のＴＤＤ構成の各々は、異なる数のアップリンクサブフレームおよびダウンリンクサブフレームを備え、複数のＴＤＤ構成から、利用可能なＴＤＤ構成を識別することと、ここにおいて、利用可能ＴＤＤ構成は、フレームフォーマットインジケータによって指示され、を含み得る。
【００１８】
[0019]いくつかの例では、複数のＴＤＤ構成の各々は１０個のサブフレームを備える。いくつかの例では、複数のＴＤＤ構成の各々は、少なくとも１つの特殊サブフレームを備える。いくつかの例では、複数のＴＤＤ構成の各々のＴＤＤ構成の第１のサブフレームはダウンリンクサブフレームを備える。いくつかの例では、複数のＴＤＤ構成の各々のＴＤＤ構成の最終サブフレームは特殊サブフレームを備える。
【００１９】
[0020]いくつかの例では、複数のＴＤＤ構成は、１つのダウンリンクサブフレームと、第１の特殊サブフレームと、７つのアップリンクサブフレームと、第２の特殊サブフレームとを備える第１のＴＤＤ構成と、２つのダウンリンクサブフレームと、第１の特殊サブフレームと、６つのアップリンクサブフレームと、第２の特殊サブフレームとを備える第２のＴＤＤ構成と、３つのダウンリンクサブフレームと、第１の特殊サブフレームと、５つのアップリンクサブフレームと、第２の特殊サブフレームとを備える第３のＴＤＤ構成と、４つのダウンリンクサブフレームと、第１の特殊サブフレームと、４つのアップリンクサブフレームと、第２の特殊サブフレームとを備える第４のＴＤＤ構成と、５つのダウンリンクサブフレームと、第１の特殊サブフレームと、３つのアップリンクサブフレームと、第２の特殊サブフレームとを備える第５のＴＤＤ構成と、６つのダウンリンクサブフレームと、第１の特殊サブフレームと、２つのアップリンクサブフレームと、第２の特殊サブフレームとを備える第６のＴＤＤ構成と、７つのダウンリンクサブフレームと、第１の特殊サブフレームと、１つのアップリンクサブフレームと、第２の特殊サブフレームとを備える第７のＴＤＤ構成と、９つのダウンリンクサブフレームと第２の特殊サブフレームとを備える第８のＴＤＤ構成とを備える。いくつかの例では、第１の特殊サブフレームはアップリンクチャネル使用ビーコン信号（Ｕ−ＣＵＢＳ）を備え、第２の特殊サブフレームはダウンリンクチャネル使用ビーコン信号（Ｄ−ＣＵＢＳ）を備える。
【００２０】
[0021]ある例では、ワイヤレス通信のための装置について説明する。一例では、この装置は、プロセッサと、プロセッサと電子通信しているメモリと、メモリに記憶された命令とを含み得る。命令は、基地局から、無認可無線周波数スペクトル帯域中での送信のための送信機会に関連付けられたフレームフォーマットインジケータを受信し、フレームフォーマットインジケータに少なくとも部分的に基づいて、送信機会のための時分割複信（ＴＤＤ）構成を決定するように、プロセッサによって実行可能であり得る。
【００２１】
[0022]いくつかの例では、フレームフォーマットインジケータは、ＴＤＤ構成に関連付けられたコードワードを備える。いくつかの例では、コードワードは、基地局に関連付けられたシーケンスでスクランブルされる。いくつかの例では、シーケンスは、ＰＬＭＮ（public land mobile network）識別にさらに関連付けられる。いくつかの例では、スクランブルされたコードワードは、４位相シフトキーイング（ＱＰＳＫ）で変調される。いくつかの例では、コードワードは、２つのアンテナポートに関連付けられた空間周波数ブロックコード（ＳＦＢＣ）シンボルにマップされる。いくつかの例では、２つのアンテナポートは、チャネル使用ビーコン信号（ＣＵＢＳ）送信用のアンテナポートに対応する。いくつかの例では、ＳＦＢＣシンボルは、拡大リソース要素グループ（ｅＲＥＧ）にマップされる。装置のいくつかの例では、命令はまた、ビットストリーム中でフレームフォーマットインジケータを受信するように、プロセッサによって実行可能であり得、ここにおいて、ビットストリームの長さは、コードワードの巡回拡張の回数によって決定される。
【００２２】
[0023]いくつかの例では、コードワードはコードの繰り返しを備える。いくつかの例では、コードはＴＤＤ構成を指示する。いくつかの例では、コードは、ＴＤＤ構成を指示する３ビットワードに少なくとも部分的に基づく。いくつかの例では、コードは３ビットワードのパリティチェックにさらに少なくとも部分的に基づき、パリティチェックは、３ビットワードのビットに対するＸＯＲ演算を備える。いくつかの例では、コードは、２つの特殊サブフレームの間のダウンリンクサブフレームの数を指示する。いくつかの例では、フレームフォーマットインジケータは、リソースブロック（ＲＢ）の少なくとも１つの拡大リソース要素グループ（ｅＲＥＧ）によって運ばれる。いくつかの例では、ＲＢは、無認可無線周波数スペクトル帯域の１つのチャネルの複数のＲＢのうちの１つであり、複数のＲＢは、チャネルのエッジにあるＲＢ、およびチャネルの直流（ＤＣ）キャリアにあるＲＢは除く。いくつかの例では、フレームフォーマットインジケータは、第２の基地局からの第２のフレームフォーマットインジケータと多重化される。
【００２３】
[0024]装置のいくつかの例では、命令はまた、送信機会のダウンリンクサブフレームの前に、直交周波数分割多重（ＯＦＤＭ）シンボル中でフレームフォーマットインジケータを受信するように、プロセッサによって実行可能であり得る。いくつかの例では、ＯＦＤＭシンボルはチャネル使用ビーコン信号（ＣＵＢＳ）を備える。装置のいくつかの例では、命令はまた、送信機会の第１のサブフレームの前に、フレームフォーマットインジケータを受信するように、プロセッサによって実行可能であり得る。装置のいくつかの例では、命令はまた、送信機会の中間部分の間に、フレームフォーマットインジケータを受信するように、プロセッサによって実行可能であり得る。装置のいくつかの例では、命令はまた、送信機会の第１のダウンリンクサブフレームの終了前に、フレームフォーマットインジケータを復号するように、プロセッサによって実行可能であり得る。装置のいくつかの例では、命令はまた、送信機会のサブフレーム中に、第２のフレームフォーマットインジケータを受信し、どのサブフレームで第２のフレームフォーマットインジケータが受信されるかに少なくとも部分的に基づいて、第２のフレームフォーマットインジケータを無効にするように、プロセッサによって実行可能であり得る。いくつかの例では、ＴＤＤ構成は、１次セルからのクロスキャリアグラントに対応する少なくとも１つのアップリンクサブフレームを備える。いくつかの例では、クロスキャリアグラントは、アップリンクサブフレームよりも少なくとも４サブフレーム前に発生している。
【００２４】
[0025]いくつかの例では、ＴＤＤ構成は、自己スケジュールされたアップリンクグラントに対応する少なくとも１つのアップリンクサブフレームを備える。いくつかの例では、自己スケジュールされたアップリンクグラントは、アップリンクサブフレームの４サブフレームよりも前に発生している。いくつかの例では、ＴＤＤ構成は、基地局の拡張クリアチャネル評価（ｅＣＣＡ）に少なくとも部分的に基づく。いくつかの例では、基地局のｅＣＣＡは、ＴＤＤ構成のアップリンクサブフレームよりも、少なくとも４サブフレーム前に完了される。いくつかの例では、ＴＤＤ構成は、少なくとも１つのダウンリンクサブフレームと少なくとも１つのアップリンクサブフレームとを備える。いくつかの例では、ＴＤＤ構成は第１の特殊サブフレームと第２の特殊サブフレームとをさらに備え、第１の特殊サブフレームはアップリンクチャネル使用ビーコン信号（Ｕ−ＣＵＢＳ）を備え、第２の特殊サブフレームはダウンリンクチャネル使用ビーコン信号（Ｄ−ＣＵＢＳ）を備える。いくつかの例では、アップリンクサブフレームは第１の特殊サブフレームの後に続き、ダウンリンクサブフレームは第２の特殊サブフレームの後に続く。
【００２５】
[0026]ある例では、ワイヤレス通信のための装置について説明する。一例では、この装置は、プロセッサと、プロセッサと電子通信しているメモリと、メモリに記憶された命令とを含み得る。命令は、無認可無線周波数スペクトル帯域中での送信のための送信機会について時分割複信（ＴＤＤ）構成を決定し、ＵＥに、送信機会に関連付けられたフレームフォーマットインジケータを送信するようにプロセッサによって実行可能であり得、フレームフォーマットインジケータはＴＤＤ構成に少なくとも部分的に基づく。
【００２６】
[0027]いくつかの例では、フレームフォーマットインジケータは、ＴＤＤ構成に関連付けられたコードワードを備える。装置のいくつかの例では、命令はまた、コードワードを、基地局に関連付けられたシーケンスでスクランブルするように、プロセッサによって実行可能であり得る。いくつかの例では、シーケンスは、ＰＬＭＮ（public land mobile network）識別にさらに関連付けられる。装置のいくつかの例では、命令はまた、スクランブルされたコードワードを、４位相シフトキーイング（ＱＰＳＫ）で変調するように、プロセッサによって実行可能であり得る。装置のいくつかの例では、命令はまた、コードワードを、２つのアンテナポートに関連付けられた空間周波数ブロックコード（ＳＦＢＣ）シンボルにマップするように、プロセッサによって実行可能であり得る。いくつかの例では、２つのアンテナポートは、チャネル使用ビーコン信号（ＣＵＢＳ）送信用のアンテナポートに対応する。いくつかの例では、ＳＦＢＣシンボルは、拡大リソース要素グループ（ｅＲＥＧ）にマップされる。装置のいくつかの例では、命令はまた、コードワードを巡回的に数回拡張し、フレームフォーマットインジケータをビットストリーム中で送信するように、プロセッサによって実行可能であり得、ここにおいて、ビットストリームの長さは、コードワードの巡回拡張の回数によって決定される。
【００２７】
[0028]いくつかの例では、コードワードはコードの繰り返しを含み得る。いくつかの例では、コードはＴＤＤ構成を指示する。いくつかの例では、コードは、ＴＤＤ構成を指示する３ビットワードに少なくとも部分的に基づく。いくつかの例では、コードは３ビットワードのパリティチェックにさらに少なくとも部分的に基づき、パリティチェックは、３ビットワードのビットに対するＸＯＲ演算を備える。いくつかの例では、コードは、２つの特殊サブフレームの間のダウンリンクサブフレームの数を指示する。いくつかの例では、フレームフォーマットインジケータは、リソースブロック（ＲＢ）の少なくとも１つの拡大リソース要素グループ（ｅＲＥＧ）によって運ばれる。いくつかの例では、ＲＢは、無認可無線周波数スペクトル帯域の１つのチャネルの複数のＲＢのうちの１つであり、複数のＲＢは、チャネルのエッジにあるＲＢ、およびチャネルの直流（ＤＣ）キャリアにあるＲＢは除く。装置のいくつかの例では、命令はまた、フレームフォーマットインジケータを、第２の基地局からの第２のフレームフォーマットインジケータと多重化するように、プロセッサによって実行可能であり得る。
【００２８】
[0029]装置のいくつかの例では、命令はまた、送信機会のダウンリンクサブフレームの前に、直交周波数分割多重（ＯＦＤＭ）シンボル中でフレームフォーマットインジケータを送信するように、プロセッサによって実行可能であり得る。いくつかの例では、ＯＦＤＭシンボルはチャネル使用ビーコン信号（ＣＵＢＳ）を備える。装置のいくつかの例では、命令は、送信機会の第１のサブフレームの前に、フレームフォーマットインジケータを送信するようにも、プロセッサによって実行可能であり得る。装置のいくつかの例では、命令はまた、送信機会の中間部分の間に、フレームフォーマットインジケータを送信するように、プロセッサによって実行可能であり得る。装置のいくつかの例では、命令はまた、送信機会のサブフレーム中に、第２のフレームフォーマットインジケータを送信するように、プロセッサによって実行可能であり得る。いくつかの例では、ＴＤＤ構成は、１次セルからのクロスキャリアグラントに対応する少なくとも１つのアップリンクサブフレームを備える。いくつかの例では、クロスキャリアグラントは、アップリンクサブフレームよりも少なくとも４サブフレーム前に発生している。いくつかの例では、ＴＤＤ構成は、自己スケジュールされたアップリンクグラントに対応する少なくとも１つのアップリンクサブフレームを備える。いくつかの例では、自己スケジュールされたアップリンクグラントは、アップリンクサブフレームの４サブフレームよりも前に発生している。装置のいくつかの例では、命令はまた、拡張クリアチャネル評価（ｅＣＣＡ）を実行し、ｅＣＣＡに少なくとも部分的に基づいてＴＤＤ構成を決定するように、プロセッサによって実行可能であり得る。いくつかの例では、ｅＣＣＡは、ＴＤＤ構成のアップリンクサブフレームよりも、少なくとも４サブフレーム前に完了される。
【００２９】
[0030]いくつかの例では、ＴＤＤ構成は、少なくとも１つのダウンリンクサブフレームと少なくとも１つのアップリンクサブフレームとを備える。いくつかの例では、ＴＤＤ構成は第１の特殊サブフレームと第２の特殊サブフレームとをさらに備え、第１の特殊サブフレームはアップリンクチャネル使用ビーコン信号（Ｕ−ＣＵＢＳ）を備え、第２の特殊サブフレームはダウンリンクチャネル使用ビーコン信号（Ｄ−ＣＵＢＳ）を備える。いくつかの例では、アップリンクサブフレームは第１の特殊サブフレームの後に続き、ダウンリンクサブフレームは第２の特殊サブフレームの後に続く。
【００３０】
[0031]ある例では、ワイヤレス通信のための装置について説明する。一例では、この装置は、プロセッサと、プロセッサと電子通信しているメモリと、メモリに記憶された命令とを含み得る。命令は、複数のＴＤＤ構成を識別し、ここにおいて、複数のＴＤＤ構成の各々は、異なる数のアップリンクサブフレームおよびダウンリンクサブフレームを備え、複数のＴＤＤ構成から、利用可能なＴＤＤ構成を識別する、ようにプロセッサによって実行可能であり得、ここにおいて、利用可能ＴＤＤ構成は、フレームフォーマットインジケータによって指示される。
【００３１】
[0032]いくつかの例では、複数のＴＤＤ構成の各々は１０個のサブフレームを備える。いくつかの例では、複数のＴＤＤ構成の各々は、少なくとも１つの特殊サブフレームを備える。いくつかの例では、複数のＴＤＤ構成の各々のＴＤＤ構成の第１のサブフレームはダウンリンクサブフレームを備える。いくつかの例では、複数のＴＤＤ構成の各々のＴＤＤ構成の最終サブフレームは特殊サブフレームを備える。
【００３２】
[0033]いくつかの例では、複数のＴＤＤ構成は、１つのダウンリンクサブフレームと、第１の特殊サブフレームと、７つのアップリンクサブフレームと、第２の特殊サブフレームとを備える第１のＴＤＤ構成と、２つのダウンリンクサブフレームと、第１の特殊サブフレームと、６つのアップリンクサブフレームと、第２の特殊サブフレームとを備える第２のＴＤＤ構成と、３つのダウンリンクサブフレームと、第１の特殊サブフレームと、５つのアップリンクサブフレームと、第２の特殊サブフレームとを備える第３のＴＤＤ構成と、４つのダウンリンクサブフレームと、第１の特殊サブフレームと、４つのアップリンクサブフレームと、第２の特殊サブフレームとを備える第４のＴＤＤ構成と、５つのダウンリンクサブフレームと、第１の特殊サブフレームと、３つのアップリンクサブフレームと、第２の特殊サブフレームとを備える第５のＴＤＤ構成と、６つのダウンリンクサブフレームと、第１の特殊サブフレームと、２つのアップリンクサブフレームと、第２の特殊サブフレームとを備える第６のＴＤＤ構成と、７つのダウンリンクサブフレームと、第１の特殊サブフレームと、１つのアップリンクサブフレームと、第２の特殊サブフレームとを備える第７のＴＤＤ構成と、９つのダウンリンクサブフレームと第２の特殊サブフレームとを備える第８のＴＤＤ構成とを備える。いくつかの例では、第１の特殊サブフレームはアップリンクチャネル使用ビーコン信号（Ｕ−ＣＵＢＳ）を備え、第２の特殊サブフレームはダウンリンクチャネル使用ビーコン信号（Ｄ−ＣＵＢＳ）を備える。
【００３３】
[0034]ある例では、ワイヤレス通信のための別の装置について説明する。一例では、装置は、基地局から、無認可無線周波数スペクトル帯域中での送信のための送信機会に関連付けられたフレームフォーマットインジケータを受信するための手段と、フレームフォーマットインジケータに少なくとも部分的に基づいて、送信機会のための時分割複信（ＴＤＤ）構成を決定するための手段とを含み得る。
【００３４】
[0035]いくつかの例では、フレームフォーマットインジケータは、ＴＤＤ構成に関連付けられたコードワードを備える。いくつかの例では、コードワードは、基地局に関連付けられたシーケンスでスクランブルされる。いくつかの例では、シーケンスは、ＰＬＭＮ（public land mobile network）識別にさらに関連付けられる。いくつかの例では、スクランブルされたコードワードは、４位相シフトキーイング（ＱＰＳＫ）で変調される。いくつかの例では、コードワードは、２つのアンテナポートに関連付けられた空間周波数ブロックコード（ＳＦＢＣ）シンボルにマップされる。いくつかの例では、２つのアンテナポートは、チャネル使用ビーコン信号（ＣＵＢＳ）送信用のアンテナポートに対応する。いくつかの例では、ＳＦＢＣシンボルは、拡大リソース要素グループ（ｅＲＥＧ）にマップされる。いくつかの例では、装置は、ビットストリーム中でフレームフォーマットインジケータを受信するための手段を含み得、ビットストリームの長さは、コードワードの循環拡張の数によって決定される。
【００３５】
[0036]いくつかの例では、コードワードはコードの繰り返しを備える。いくつかの例では、コードはＴＤＤ構成を指示する。いくつかの例では、コードは、ＴＤＤ構成を指示する３ビットワードに少なくとも部分的に基づく。いくつかの例では、コードは３ビットワードのパリティチェックにさらに少なくとも部分的に基づき、パリティチェックは、３ビットワードのビットに対するＸＯＲ演算を備える。いくつかの例では、コードは、２つの特殊サブフレームの間のダウンリンクサブフレームの数を指示する。いくつかの例では、フレームフォーマットインジケータは、リソースブロック（ＲＢ）の少なくとも１つの拡大リソース要素グループ（ｅＲＥＧ）によって運ばれる。いくつかの例では、ＲＢは、無認可無線周波数スペクトル帯域の１つのチャネルの複数のＲＢのうちの１つであり、複数のＲＢは、チャネルのエッジにあるＲＢ、およびチャネルの直流（ＤＣ）キャリアにあるＲＢは除く。いくつかの例では、フレームフォーマットインジケータは、第２の基地局からの第２のフレームフォーマットインジケータと多重化される。
【００３６】
[0037]いくつかの例では、装置は、送信機会のダウンリンクサブフレームの前に、直交周波数分割多重（ＯＦＤＭ）シンボル中でフレームフォーマットインジケータを受信するための手段を含み得る。いくつかの例では、ＯＦＤＭシンボルはチャネル使用ビーコン信号（ＣＵＢＳ）を備える。いくつかの例では、装置は、送信機会の第１のサブフレームの前に、フレームフォーマットインジケータを受信するための手段を含み得る。いくつかの例では、装置は、送信機会の中間部分の間に、フレームフォーマットインジケータを受信するための手段を含み得る。いくつかの例では、装置は、送信機会の第１のダウンリンクサブフレームの終了前に、フレームフォーマットインジケータを復号するための手段を含み得る。いくつかの例では、装置は、送信機会のサブフレーム中に、第２のフレームフォーマットインジケータを受信し、どのサブフレームで第２のフレームフォーマットインジケータが受信されるかにに少なくとも部分的に基づいて、第２のフレームフォーマットインジケータを無効にするための手段を含み得る。いくつかの例では、ＴＤＤ構成は、１次セルからのクロスキャリアグラントに対応する少なくとも１つのアップリンクサブフレームを備える。いくつかの例では、クロスキャリアグラントは、アップリンクサブフレームよりも少なくとも４サブフレーム前に発生している。
【００３７】
[0038]いくつかの例では、ＴＤＤ構成は、自己スケジュールされたアップリンクグラントに対応する少なくとも１つのアップリンクサブフレームを備える。いくつかの例では、自己スケジュールされたアップリンクグラントは、アップリンクサブフレームの４サブフレームよりも前に発生している。いくつかの例では、ＴＤＤ構成は、基地局の拡張クリアチャネル評価（ｅＣＣＡ）に少なくとも部分的に基づく。いくつかの例では、基地局のｅＣＣＡは、ＴＤＤ構成のアップリンクサブフレームよりも、少なくとも４サブフレーム前に完了される。いくつかの例では、ＴＤＤ構成は、少なくとも１つのダウンリンクサブフレームと少なくとも１つのアップリンクサブフレームとを備える。いくつかの例では、ＴＤＤ構成は第１の特殊サブフレームと第２の特殊サブフレームとをさらに備え、第１の特殊サブフレームはアップリンクチャネル使用ビーコン信号（Ｕ−ＣＵＢＳ）を備え、第２の特殊サブフレームはダウンリンクチャネル使用ビーコン信号（Ｄ−ＣＵＢＳ）を備える。いくつかの例では、アップリンクサブフレームは第１の特殊サブフレームの後に続き、ダウンリンクサブフレームは第２の特殊サブフレームの後に続く。
【００３８】
[0039]ある例では、ワイヤレス通信のための別の装置について説明する。一例では、装置は、無認可無線周波数スペクトル帯域中での送信のための送信機会について時分割複信（ＴＤＤ）構成を決定するための手段と、ＵＥに、送信機会に関連付けられたフレームフォーマットインジケータを送信するための手段と、を含み得、フレームフォーマットインジケータはＴＤＤ構成に少なくとも部分的に基づく。
【００３９】
[0040]いくつかの例では、フレームフォーマットインジケータは、ＴＤＤ構成に関連付けられたコードワードを備える。いくつかの例では、装置は、コードワードを、基地局に関連付けられたシーケンスでスクランブルするための手段を含み得る。いくつかの例では、シーケンスは、ＰＬＭＮ（public land mobile network）識別にさらに関連付けられる。いくつかの例では、装置は、スクランブルされたコードワードを、４位相シフトキーイング（ＱＰＳＫ）で変調するための手段を含み得る。いくつかの例では、装置は、コードワードを、２つのアンテナポートに関連付けられた空間周波数ブロックコード（ＳＦＢＣ）シンボルにマップするための手段を含み得る。いくつかの例では、２つのアンテナポートは、チャネル使用ビーコン信号（ＣＵＢＳ）送信用のアンテナポートに対応する。いくつかの例では、ＳＦＢＣシンボルは、拡大リソース要素グループ（ｅＲＥＧ）にマップされる。いくつかの例では、装置は、コードワードを巡回的に数回拡張するための手段と、フレームフォーマットインジケータをビットストリーム中で送信するための手段と、ここにおいて、ビットストリームの長さは、コードワードの巡回拡張の回数によって決定される、を含み得る。
【００４０】
[0041]いくつかの例では、コードワードはコードの繰り返しを含み得る。いくつかの例では、コードはＴＤＤ構成を指示する。いくつかの例では、コードは、ＴＤＤ構成を指示する３ビットワードに少なくとも部分的に基づく。いくつかの例では、コードは３ビットワードのパリティチェックにさらに少なくとも部分的に基づき、パリティチェックは、３ビットワードのビットに対するＸＯＲ演算を備える。いくつかの例では、コードは、２つの特殊サブフレームの間のダウンリンクサブフレームの数を指示する。いくつかの例では、フレームフォーマットインジケータは、リソースブロック（ＲＢ）の少なくとも１つの拡大リソース要素グループ（ｅＲＥＧ）によって運ばれる。いくつかの例では、ＲＢは、無認可無線周波数スペクトル帯域の１つのチャネルの複数のＲＢのうちの１つであり、複数のＲＢは、チャネルのエッジにあるＲＢ、およびチャネルの直流（ＤＣ）キャリアにあるＲＢは除く。いくつかの例では、装置は、フレームフォーマットインジケータを、第２の基地局からの第２のフレームフォーマットインジケータで多重化するための手段を含み得る。
【００４１】
[0042]いくつかの例では、装置は、送信機会のダウンリンクサブフレームの前に、直交周波数分割多重（ＯＦＤＭ）シンボル中でフレームフォーマットインジケータを送信するための手段を含み得る。いくつかの例では、ＯＦＤＭシンボルはチャネル使用ビーコン信号（ＣＵＢＳ）を備える。いくつかの例では、装置は、送信機会の第１のサブフレームの前に、フレームフォーマットインジケータを送信するための手段を含み得る。いくつかの例では、装置は、送信機会の中間部分の間に、フレームフォーマットインジケータを送信するための手段を含み得る。いくつかの例では、装置は、送信機会のサブフレーム中に、第２のフレームフォーマットインジケータを送信するための手段を含み得る。いくつかの例では、ＴＤＤ構成は、１次セルからのクロスキャリアグラントに対応する少なくとも１つのアップリンクサブフレームを備える。いくつかの例では、クロスキャリアグラントは、アップリンクサブフレームよりも少なくとも４サブフレーム前に発生している。いくつかの例では、ＴＤＤ構成は、自己スケジュールされたアップリンクグラントに対応する少なくとも１つのアップリンクサブフレームを備える。いくつかの例では、自己スケジュールされたアップリンクグラントは、アップリンクサブフレームの４サブフレームよりも前に発生している。いくつかの例では、装置は、拡張クリアチャネル評価（ｅＣＣＡ）を実施するための手段と、ｅＣＣＡに少なくとも部分的に基づいてＴＤＤ構成を決定するための手段とを含み得る。いくつかの例では、ｅＣＣＡは、ＴＤＤ構成のアップリンクサブフレームよりも、少なくとも４サブフレーム前に完了される。
【００４２】
[0043]いくつかの例では、ＴＤＤ構成は、少なくとも１つのダウンリンクサブフレームと少なくとも１つのアップリンクサブフレームとを備える。いくつかの例では、ＴＤＤ構成は第１の特殊サブフレームと第２の特殊サブフレームとをさらに備え、第１の特殊サブフレームはアップリンクチャネル使用ビーコン信号（Ｕ−ＣＵＢＳ）を備え、第２の特殊サブフレームはダウンリンクチャネル使用ビーコン信号（Ｄ−ＣＵＢＳ）を備える。いくつかの例では、アップリンクサブフレームは第１の特殊サブフレームの後に続き、ダウンリンクサブフレームは第２の特殊サブフレームの後に続く。
【００４３】
[0044]ある例では、ワイヤレス通信のための別の装置について説明する。一例では、装置は、複数のＴＤＤ構成を識別するための手段と、ここにおいて、複数のＴＤＤ構成の各々は、異なる数のアップリンクサブフレームおよびダウンリンクサブフレームを備える、複数のＴＤＤ構成から、利用可能なＴＤＤ構成を識別するための手段と、ここにおいて、利用可能ＴＤＤ構成は、フレームフォーマットインジケータによって指示される、を含み得る。
【００４４】
[0045]いくつかの例では、複数のＴＤＤ構成の各々は１０個のサブフレームを備える。いくつかの例では、複数のＴＤＤ構成の各々は、少なくとも１つの特殊サブフレームを備える。いくつかの例では、複数のＴＤＤ構成の各々のＴＤＤ構成の第１のサブフレームはダウンリンクサブフレームを備える。いくつかの例では、複数のＴＤＤ構成の各々のＴＤＤ構成の最終サブフレームは特殊サブフレームを備える。
【００４５】
[0046]いくつかの例では、複数のＴＤＤ構成は、１つのダウンリンクサブフレームと、第１の特殊サブフレームと、７つのアップリンクサブフレームと、第２の特殊サブフレームとを備える第１のＴＤＤ構成と、２つのダウンリンクサブフレームと、第１の特殊サブフレームと、６つのアップリンクサブフレームと、第２の特殊サブフレームとを備える第２のＴＤＤ構成と、３つのダウンリンクサブフレームと、第１の特殊サブフレームと、５つのアップリンクサブフレームと、第２の特殊サブフレームとを備える第３のＴＤＤ構成と、４つのダウンリンクサブフレームと、第１の特殊サブフレームと、４つのアップリンクサブフレームと、第２の特殊サブフレームとを備える第４のＴＤＤ構成と、５つのダウンリンクサブフレームと、第１の特殊サブフレームと、３つのアップリンクサブフレームと、第２の特殊サブフレームとを備える第５のＴＤＤ構成と、６つのダウンリンクサブフレームと、第１の特殊サブフレームと、２つのアップリンクサブフレームと、第２の特殊サブフレームとを備える第６のＴＤＤ構成と、７つのダウンリンクサブフレームと、第１の特殊サブフレームと、１つのアップリンクサブフレームと、第２の特殊サブフレームとを備える第７のＴＤＤ構成と、９つのダウンリンクサブフレームと第２の特殊サブフレームとを備える第８のＴＤＤ構成とを備える。いくつかの例では、第１の特殊サブフレームはアップリンクチャネル使用ビーコン信号（Ｕ−ＣＵＢＳ）を備え、第２の特殊サブフレームはダウンリンクチャネル使用ビーコン信号（Ｄ−ＣＵＢＳ）を備える。
【００４６】
[0047]ある例では、ワイヤレス通信のためのコンピュータ実行可能コードを記憶する非一時的コンピュータ可読媒体が説明される。一例では、コードは、基地局から、無認可無線周波数スペクトル帯域中での送信のための送信機会に関連付けられたフレームフォーマットインジケータを受信し、フレームフォーマットインジケータに少なくとも部分的に基づいて、送信機会のための時分割複信（ＴＤＤ）構成を決定するように、プロセッサによって実行可能であり得る。
【００４７】
[0048]いくつかの例では、フレームフォーマットインジケータは、ＴＤＤ構成に関連付けられたコードワードを備える。いくつかの例では、コードワードは、基地局に関連付けられたシーケンスでスクランブルされる。いくつかの例では、シーケンスは、ＰＬＭＮ（public land mobile network）識別にさらに関連付けられる。いくつかの例では、スクランブルされたコードワードは、４位相シフトキーイング（ＱＰＳＫ）で変調される。いくつかの例では、コードワードは、２つのアンテナポートに関連付けられた空間周波数ブロックコード（ＳＦＢＣ）シンボルにマップされる。いくつかの例では、２つのアンテナポートは、チャネル使用ビーコン信号（ＣＵＢＳ）送信用のアンテナポートに対応する。いくつかの例では、ＳＦＢＣシンボルは、拡大リソース要素グループ（ｅＲＥＧ）にマップされる。非一時的コンピュータ可読媒体のいくつかの例では、コードはまた、ビットストリーム中でフレームフォーマットインジケータを受信する、ここにおいて、ビットストリームの長さは、コードワードの巡回拡張の回数によって決定される、ように、プロセッサによって実行可能であり得る。
【００４８】
[0049]いくつかの例では、コードワードはコードの繰り返しを備える。いくつかの例では、コードはＴＤＤ構成を指示する。いくつかの例では、コードは、ＴＤＤ構成を指示する３ビットワードに少なくとも部分的に基づく。いくつかの例では、コードは３ビットワードのパリティチェックにさらに少なくとも部分的に基づき、パリティチェックは、３ビットワードのビットに対するＸＯＲ演算を備える。いくつかの例では、コードは、２つの特殊サブフレームの間のダウンリンクサブフレームの数を指示する。いくつかの例では、フレームフォーマットインジケータは、リソースブロック（ＲＢ）の少なくとも１つの拡大リソース要素グループ（ｅＲＥＧ）によって運ばれる。いくつかの例では、ＲＢは、無認可無線周波数スペクトル帯域の１つのチャネルの複数のＲＢのうちの１つであり、複数のＲＢは、チャネルのエッジにあるＲＢ、およびチャネルの直流（ＤＣ）キャリアにあるＲＢは除く。いくつかの例では、フレームフォーマットインジケータは、第２の基地局からの第２のフレームフォーマットインジケータと多重化される。
【００４９】
[0050]非一時的コンピュータ可読媒体のいくつかの例では、コードはまた、送信機会のダウンリンクサブフレームの前に、直交周波数分割多重（ＯＦＤＭ）シンボル中でフレームフォーマットインジケータを受信するように、プロセッサによって実行可能であり得る。いくつかの例では、ＯＦＤＭシンボルはチャネル使用ビーコン信号（ＣＵＢＳ）を備える。非一時的コンピュータ可読媒体のいくつかの例では、コードはまた、送信機会の第１のサブフレームの前に、フレームフォーマットインジケータを受信するように、プロセッサによって実行可能であり得る。非一時的コンピュータ可読媒体のいくつかの例では、コードはまた、送信機会の中間部分の間に、フレームフォーマットインジケータを受信するように、プロセッサによって実行可能であり得る。非一時的コンピュータ可読媒体のいくつかの例では、コードはまた、送信機会の第１のダウンリンクサブフレームの終了前に、フレームフォーマットインジケータを復号するように、プロセッサによって実行可能であり得る。非一時的コンピュータ可読媒体のいくつかの例では、コードはまた、送信機会のサブフレーム中に、第２のフレームフォーマットインジケータを受信し、どのサブフレームで第２のフレームフォーマットインジケータが受信されるかに少なくとも部分的に基づいて、第２のフレームフォーマットインジケータを無効にするように、プロセッサによって実行可能であり得る。いくつかの例では、ＴＤＤ構成は、１次セルからのクロスキャリアグラントに対応する少なくとも１つのアップリンクサブフレームを備える。いくつかの例では、クロスキャリアグラントは、アップリンクサブフレームよりも少なくとも４サブフレーム前に発生している。
【００５０】
[0051]いくつかの例では、ＴＤＤ構成は、自己スケジュールされたアップリンクグラントに対応する少なくとも１つのアップリンクサブフレームを備える。いくつかの例では、自己スケジュールされたアップリンクグラントは、アップリンクサブフレームの４サブフレームよりも前に発生している。いくつかの例では、ＴＤＤ構成は、基地局の拡張クリアチャネル評価（ｅＣＣＡ）に少なくとも部分的に基づく。いくつかの例では、基地局のｅＣＣＡは、ＴＤＤ構成のアップリンクサブフレームよりも、少なくとも４サブフレーム前に完了される。いくつかの例では、ＴＤＤ構成は、少なくとも１つのダウンリンクサブフレームと少なくとも１つのアップリンクサブフレームとを備える。いくつかの例では、ＴＤＤ構成は第１の特殊サブフレームと第２の特殊サブフレームとをさらに備え、第１の特殊サブフレームはアップリンクチャネル使用ビーコン信号（Ｕ−ＣＵＢＳ）を備え、第２の特殊サブフレームはダウンリンクチャネル使用ビーコン信号（Ｄ−ＣＵＢＳ）を備える。いくつかの例では、アップリンクサブフレームは第１の特殊サブフレームの後に続き、ダウンリンクサブフレームは第２の特殊サブフレームの後に続く。
【００５１】
[0052]ある例では、ワイヤレス通信のためのコンピュータ実行可能コードを記憶する非一時的コンピュータ可読媒体が説明される。一例では、コードは、無認可無線周波数スペクトル帯域中での送信のための送信機会について時分割複信（ＴＤＤ）構成を決定し、ＵＥに、送信機会に関連付けられたフレームフォーマットインジケータを送信する、ようにプロセッサによって実行可能であり得、フレームフォーマットインジケータはＴＤＤ構成に少なくとも部分的に基づく。
【００５２】
[0053]いくつかの例では、フレームフォーマットインジケータは、ＴＤＤ構成に関連付けられたコードワードを備える。非一時的コンピュータ可読媒体のいくつかの例では、コードはまた、コードワードを、基地局に関連付けられたシーケンスでスクランブルするように、プロセッサによって実行可能であり得る。いくつかの例では、シーケンスは、ＰＬＭＮ（public land mobile network）識別にさらに関連付けられる。非一時的コンピュータ可読媒体のいくつかの例では、コードはまた、スクランブルされたコードワードを、４位相シフトキーイング（ＱＰＳＫ）で変調するように、プロセッサによって実行可能によってできる。非一時的コンピュータ可読媒体のいくつかの例では、コードはまた、コードワードを、２つのアンテナポートに関連付けられた空間周波数ブロックコード（ＳＦＢＣ）シンボルにマップするように、プロセッサによって実行可能であり得る。いくつかの例では、２つのアンテナポートは、チャネル使用ビーコン信号（ＣＵＢＳ）送信用のアンテナポートに対応する。いくつかの例では、ＳＦＢＣシンボルは、拡大リソース要素グループ（ｅＲＥＧ）にマップされる。非一時的コンピュータ可読媒体のいくつかの例では、コードはまた、コードワードを巡回的に数回拡張し、フレームフォーマットインジケータをビットストリーム中で送信する、ようにプロセッサによって実行可能であり得、ここで、ビットストリームの長さは、コードワードの巡回拡張の回数によって決定される。
【００５３】
[0054]いくつかの例では、コードワードはコードの繰り返しを含み得る。いくつかの例では、コードはＴＤＤ構成を指示する。いくつかの例では、コードは、ＴＤＤ構成を指示する３ビットワードに少なくとも部分的に基づく。いくつかの例では、コードは３ビットワードのパリティチェックにさらに少なくとも部分的に基づき、パリティチェックは、３ビットワードのビットに対するＸＯＲ演算を備える。いくつかの例では、コードは、２つの特殊サブフレームの間のダウンリンクサブフレームの数を指示する。いくつかの例では、フレームフォーマットインジケータは、リソースブロック（ＲＢ）の少なくとも１つの拡大リソース要素グループ（ｅＲＥＧ）によって運ばれる。いくつかの例では、ＲＢは、無認可無線周波数スペクトル帯域の１つのチャネルの複数のＲＢのうちの１つであり、複数のＲＢは、チャネルのエッジにあるＲＢ、およびチャネルの直流（ＤＣ）キャリアにあるＲＢは除く。非一時的コンピュータ可読媒体のいくつかの例では、コードはまた、フレームフォーマットインジケータを、第２の基地局からの第２のフレームフォーマットインジケータと多重化するように、プロセッサによって実行可能であり得る。
【００５４】
[0055]非一時的コンピュータ可読媒体のいくつかの例では、コードはまた、送信機会のダウンリンクサブフレームの前に、直交周波数分割多重（ＯＦＤＭ）シンボル中でフレームフォーマットインジケータを送信するように、プロセッサによって実行可能であり得る。いくつかの例では、ＯＦＤＭシンボルはチャネル使用ビーコン信号（ＣＵＢＳ）を備える。非一時的コンピュータ可読媒体のいくつかの例では、コードはまた、送信機会の第１のサブフレームの前に、フレームフォーマットインジケータを送信するように、プロセッサによって実行可能であり得る。非一時的コンピュータ可読媒体のいくつかの例では、コードはまた、送信機会の中間部分の間に、フレームフォーマットインジケータを送信するように、プロセッサによって実行可能であり得る。非一時的コンピュータ可読媒体のいくつかの例では、コードはまた、送信機会のサブフレーム中に、第２のフレームフォーマットインジケータを送信するように、プロセッサによって実行可能であり得る。いくつかの例では、ＴＤＤ構成は、１次セルからのクロスキャリアグラントに対応する少なくとも１つのアップリンクサブフレームを備える。いくつかの例では、クロスキャリアグラントは、アップリンクサブフレームよりも少なくとも４サブフレーム前に発生している。いくつかの例では、ＴＤＤ構成は、自己スケジュールされたアップリンクグラントに対応する少なくとも１つのアップリンクサブフレームを備える。いくつかの例では、自己スケジュールされたアップリンクグラントは、アップリンクサブフレームの４サブフレームよりも前に発生している。非一時的コンピュータ可読媒体のいくつかの例では、コードはまた、拡張クリアチャネル評価（ｅＣＣＡ）を実施し、ｅＣＣＡに少なくとも部分的に基づいてＴＤＤ構成を決定するように、プロセッサによって実行可能であり得る。いくつかの例では、ｅＣＣＡは、ＴＤＤ構成のアップリンクサブフレームよりも、少なくとも４サブフレーム前に完了される。
【００５５】
[0056]いくつかの例では、ＴＤＤ構成は、少なくとも１つのダウンリンクサブフレームと少なくとも１つのアップリンクサブフレームとを備える。いくつかの例では、ＴＤＤ構成は第１の特殊サブフレームと第２の特殊サブフレームとをさらに備え、第１の特殊サブフレームはアップリンクチャネル使用ビーコン信号（Ｕ−ＣＵＢＳ）を備え、第２の特殊サブフレームはダウンリンクチャネル使用ビーコン信号（Ｄ−ＣＵＢＳ）を備える。いくつかの例では、アップリンクサブフレームは第１の特殊サブフレームの後に続き、ダウンリンクサブフレームは第２の特殊サブフレームの後に続く。
【００５６】
[0057]ある例では、ワイヤレス通信のためのコンピュータ実行可能コードを記憶する非一時的コンピュータ可読媒体が説明される。一例では、コードは、複数のＴＤＤ構成を識別し、ここにおいて、複数のＴＤＤ構成の各々は、異なる数のアップリンクサブフレームおよびダウンリンクサブフレームを備える、複数のＴＤＤ構成から、利用可能なＴＤＤ構成を識別する、ようにプロセッサによって実行可能であり得、ここで、利用可能ＴＤＤ構成は、フレームフォーマットインジケータによって指示される。
【００５７】
[0058]いくつかの例では、複数のＴＤＤ構成の各々は１０個のサブフレームを備える。いくつかの例では、複数のＴＤＤ構成の各々は、少なくとも１つの特殊サブフレームを備える。いくつかの例では、複数のＴＤＤ構成の各々のＴＤＤ構成の第１のサブフレームはダウンリンクサブフレームを備える。いくつかの例では、複数のＴＤＤ構成の各々のＴＤＤ構成の最終サブフレームは特殊サブフレームを備える。
【００５８】
[0059]いくつかの例では、複数のＴＤＤ構成は、１つのダウンリンクサブフレームと、第１の特殊サブフレームと、７つのアップリンクサブフレームと、第２の特殊サブフレームとを備える第１のＴＤＤ構成と、２つのダウンリンクサブフレームと、第１の特殊サブフレームと、６つのアップリンクサブフレームと、第２の特殊サブフレームとを備える第２のＴＤＤ構成と、３つのダウンリンクサブフレームと、第１の特殊サブフレームと、５つのアップリンクサブフレームと、第２の特殊サブフレームとを備える第３のＴＤＤ構成と、４つのダウンリンクサブフレームと、第１の特殊サブフレームと、４つのアップリンクサブフレームと、第２の特殊サブフレームとを備える第４のＴＤＤ構成と、５つのダウンリンクサブフレームと、第１の特殊サブフレームと、３つのアップリンクサブフレームと、第２の特殊サブフレームとを備える第５のＴＤＤ構成と、６つのダウンリンクサブフレームと、第１の特殊サブフレームと、２つのアップリンクサブフレームと、第２の特殊サブフレームとを備える第６のＴＤＤ構成と、７つのダウンリンクサブフレームと、第１の特殊サブフレームと、１つのアップリンクサブフレームと、第２の特殊サブフレームとを備える第７のＴＤＤ構成と、９つのダウンリンクサブフレームと第２の特殊サブフレームとを備える第８のＴＤＤ構成とを備える。いくつかの例では、第１の特殊サブフレームはアップリンクチャネル使用ビーコン信号（Ｕ−ＣＵＢＳ）を備え、第２の特殊サブフレームはダウンリンクチャネル使用ビーコン信号（Ｄ−ＣＵＢＳ）を備える。
【００５９】
[0060]上記では、以下の発明を実施するための形態がより良く理解され得るように、本開示による例の特徴および技術的利点をかなり広範に概説した。追加の特徴および利点が以下で説明される。開示される概念および具体例は、本開示の同じ目的を実施するための他の構造を修正または設計するための基礎として容易に利用され得る。そのような等価な構成は、添付の特許請求の範囲から逸脱しない。本明細書で開示される概念の特徴、それらの構成と動作の方法の両方は、関連する利点と一緒に、添付の図にとともに考慮されると、以下の説明からより良く理解されよう。図の各々は、例示および説明のみのために提供されるものであり、特許請求の範囲の限定の定義として提供されるものではない。
【００６０】
[0061]本開示の性質および利点のより一層の理解は、以下の図面を参照することによって実現され得る。添付の図では、同様のコンポーネントまたは特徴は、同一の参照符号を有し得る。さらに、同じタイプの様々なコンポーネントは、参照ラベルの後に、ダッシュと、それらの同様のコンポーネントの間で区別する第２のラベルとを続けることによって区別され得る。第１の参照ラベルのみが本明細書において使用される場合、その説明は、第２の参照ラベルにかかわらず、同じ第１の参照ラベルを有する同様のコンポーネントのいずれか１つに適用可能である。
【図面の簡単な説明】
【００６１】
【図１】本開示の様々な態様によるワイヤレス通信システムの例を示す図。
【図２】本開示の様々な態様による、無線フレームに適用可能であり得るＴＤＤ構成の例を示すテーブルを示す図。
【図３Ａ】本開示の様々な態様による、無認可無線周波数スペクトル帯域のチャネルのリソースブロックの例を示す図。
【図３Ｂ】本開示の様々な態様による、フレームフォーマットインジケータを運ぶためのトーンの例を示す図。
【図４】本開示の様々な態様による、無認可無線周波数スペクトル帯域のチャネルのリソースブロックの別の例を示す図。
【図５Ａ】本開示の様々な態様による無線フレームの例を示す図。
【図５Ｂ】本開示の様々な態様による無線フレームの別の例を示す図。
【図６】本開示の様々な態様による、ワイヤレス通信において使用するためのＵＥのブロック図。
【図７】本開示の様々な態様による、ワイヤレス通信において使用するためのシステムを示す図。
【図８】本開示の様々な態様による、ワイヤレス通信において使用するための基地局のブロック図。
【図９】本開示の様々な態様による、ワイヤレス通信において使用するための基地局のブロック図。
【図１０】本開示の様々な態様による、ワイヤレス通信において使用するための基地局のブロック図。
【図１１】本開示の様々な態様による、ワイヤレス通信のための方法の例を示すフローチャート。
【図１２】本開示の様々な態様による、ワイヤレス通信のための方法の例を示すフローチャート。
【図１３】本開示の様々な態様による、ワイヤレス通信のための方法の例を示すフローチャート。
【発明を実施するための形態】
【００６２】
[0077]無認可無線周波数スペクトル帯域を介して通信するとき、通信に利用可能なチャネルは、無線フレームごとに変わり得る。無線フレーム中にチャネルが利用可能になったときに基づいて、無線フレーム、または送信機会のための時分割複信（ＴＤＤ）構成が決定され得る。ＵＥは、基地局から、無認可無線周波数スペクトル帯域中での送信のための送信機会または無線フレームに関連付けられたフレームフォーマットインジケータを受信し得る。ＵＥは、受信フレームフォーマットインジケータに少なくとも部分的に基づいて、送信機会のためのＴＤＤ構成を決定することができる。
【００６３】
[0078]以下の説明は例を提供するものであり、特許請求の範囲に記載される範囲、適用可能性、または例を限定するものではない。本開示の範囲から逸脱することなく、論じられる要素の機能および構成に変更が行われ得る。様々な例が、適宜に様々な手順またはコンポーネントを省略、置換、または追加してよい。たとえば、説明される方法は、説明される順序とは異なる順序で実施される場合があり、様々なステップが追加、省略、または組み合わされる場合がある。また、いくつかの例に関して説明する特徴は、他の例において組み合わせられてもよい。
【００６４】
[0079]図１は、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実施し得るか、または基地局コントローラ（図示せず）の制御下で動作し得る。様々な例では、基地局１０５は、ワイヤードまたはワイヤレス通信リンクであり得るバックホール１３４（たとえば、Ｘ１など）を介して、直接的または間接的（たとえば、コアネットワーク１３０を通して）のいずれかで、互いと通信し得る。
【００６５】
[0080]基地局１０５は、１つまたは複数の基地局アンテナを介して、ＵＥ１１５とワイヤレスに通信することができる。基地局１０５のサイトの各々は、それぞれの地理的カバレージエリア１１０に通信カバレージを提供することができる。いくつかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ、または何らかの他の適切な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局またはスモールセル基地局）を含み得る。異なる技術のための重複する地理的カバレージエリア１１０があり得る。
【００６６】
[0081]いくつかの例では、ワイヤレス通信システム１００はＬＴＥ（登録商標）／ＬＴＥ−Ａネットワークである。ＬＴＥ／ＬＴＥ−Ａネットワークでは、発展型ノードＢ（ｅＮＢ）という用語は、基地局１０５を表すために使用され得るが、ＵＥという用語は、ＵＥ１１５を表すために使用され得る。ワイヤレスシステム１００は、異なるタイプのｅＮＢが様々な地理的領域にカバレージを提供する異種ＬＴＥ／ＬＴＥ−Ａネットワークであり得る。たとえば、各ｅＮＢまたは基地局１０５は、マクロセル、スモールセル、および／または他のタイプのセルに通信カバレージを提供し得る。「セル」という用語は、コンテキストに応じて、基地局、基地局に関連するキャリアもしくはコンポーネント、またはキャリアもしくは基地局のカバレージエリア（たとえば、セクタなど）を表すために使用され得る３ＧＰＰ（登録商標）用語である。
【００６７】
[0082]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較すると、マクロセルと同じまたはマクロセルとは異なる（たとえば、認可、無認可などの）周波数帯域で動作し得る低電力基地局である。スモールセルは、様々な例によると、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００６８】
[0083]ワイヤレス通信システム１００は、同期動作または非同期動作をサポートすることができる。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００６９】
[0084]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、論理チャネルを介して通信するためにパケットのセグメンテーションとリアセンブリとを実施することができる。媒体アクセス制御（ＭＡＣ）レイヤは、優先順位処理と、トランスポートチャネルへの論理チャネルの多重化とを実施し得る。ＭＡＣレイヤは、リンク効率を改善するためにＭＡＣレイヤにおける再送信を提供するのにハイブリッドＡＲＱ（ＨＡＲＱ）を使用することもできる。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマップされ得る。
【００７０】
[0085]ＵＥ１１５はワイヤレス通信システム１００全体にわたって分散され、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００７１】
[0086]ワイヤレス通信システム１００に示された通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含んでよく、各キャリアは、上述した様々な無線技術に従って変調された、複数のサブキャリアからなる信号（たとえば、異なる周波数の波形信号）であってよい。各被変調信号は、異なるサブキャリア上で送られ得、制御情報（たとえば、基準信号、制御チャネルなど）、オーバーヘッド情報、ユーザデータなどを搬送し得る。
【００７２】
[0087]各キャリアは、認可（licensed）無線周波数スペクトル帯域または無認可（unlicensed）無線周波数スペクトル帯域上で提供され得る。概して、いくつかの管轄における無認可スペクトルは、６００メガヘルツ（ＭＨｚ）〜６ギガヘルツ（ＧＨｚ）にわたり得る。本明細書で使用する「無認可無線周波数スペクトル」、「無認可スペクトル」、または「共有スペクトル」という用語はしたがって、工業、科学および医療（ＩＳＭ）無線帯域を、それらの帯域の周波数にかかわらず指し得る。いくつかの例では、無認可スペクトルとは、５ＧＨｚまたは５Ｇ帯域とも呼ばれ得るＵ−ＮＩＩ無線帯域である。対照的に、「認可無線周波数スペクトル」、「認可スペクトル」、または「セルラースペクトル」という用語は、本明細書において、所管官庁からの管理ライセンスを受けて、ワイヤレスネットワーク事業者によって使用されるワイヤレススペクトルを指すのに使われる場合がある。ある通信モードで使用されるキャリアのセットは、すべてが（たとえば、ＵＥ１１５において）認可無線周波数スペクトル帯域を介して受信されるか、すべてが（たとえば、ＵＥ１１５において）無認可無線周波数スペクトル帯域を介して受信されるか、または（たとえば、ＵＥ１１５において）認可無線周波数スペクトル帯域と無認可無線周波数スペクトル帯域との組合せを介して受信され得る。
【００７３】
[0088]通信リンク１２５は、（たとえば、対（paired）スペクトルリソースを使用する）ＦＤＤまたは（たとえば、不対(unpaired)スペクトルリソースを使用する）ＴＤＤ動作を使用して、双方向通信を送信し得る。ＦＤＤのためのフレーム構造（たとえば、フレーム構造タイプ１）とＴＤＤのためのフレーム構造（たとえば、フレーム構造タイプ２）とが定義され得る。ＤＬ送信および／またはＵＬ送信は、認可無線周波数スペクトル帯域、無認可無線周波数スペクトル帯域、またはその両方を使用して行われ得る。
【００７４】
[0089]ワイヤレス通信システム１００のいくつかの例では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するのにマルチパス環境を利用することができる多入力多出力（ＭＩＭＯ）技法を利用してよい。
【００７５】
[0090]ワイヤレス通信システム１００は、複数のセルまたはキャリア上での動作、すなわち、マルチキャリア動作と呼ばれることがある機能をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、マルチキャリア動作のための、複数のダウンリンクＣＣと１つまたは複数のアップリンクＣＣとで構成され得る。マルチキャリア動作は、ＦＤＤコンポーネントキャリアとＴＤＤコンポーネントキャリアの両方を用い得る。コンポーネントキャリアは、認可無線周波数スペクトル帯域、無認可無線周波数スペクトル帯域、または認可および無認可無線周波数スペクトル帯域の組合せを使用し得る。
【００７６】
[0091]ワイヤレス通信システム１００のいくつかの例では、無認可無線周波数スペクトル帯域は、異なるシナリオにおいて展開され得る。展開シナリオは、認可無線周波数スペクトル帯域におけるダウンリンク通信が無認可無線周波数スペクトル帯域にオフロードされ得る補助ダウンリンク（ＳＤＬ）モード、ダウンリンク通信とアップリンク通信の両方が認可無線周波数スペクトル帯域から無認可無線周波数スペクトル帯域にオフロードされ得るキャリアアグリゲーション（ＣＡ）モード、ならびに／または、基地局１０５とＵＥ１１５との間のダウンリンク通信およびアップリンク通信が無認可無線周波数スペクトル帯域において行われ得るスタンドアロン（ＳＡ）モードを含み得る。基地局１０５ならびにＵＥ１１５は、いくつかの例では、これらまたは同様の動作モードのうちの１つまたは複数をサポートすることができる。
【００７７】
[0092]認可無線周波数スペクトル帯域を使用するセルラーネットワークにおけるデータトラフィックの増加とともに、少なくとも一部のデータトラフィックを無認可無線周波数スペクトル帯域にオフロードすることは、セルラー事業者（たとえば、ＰＬＭＮ（public land mobile network）、および／またはＬＴＥ／ＬＴＥ−Ａネットワークなどのセルラーネットワークを定義する基地局の調整されたセットの事業者）に、データ送信容量を拡大する機会を提供することができる。無認可無線周波数スペクトル帯域にアクセスし、無認可無線周波数スペクトル帯域を介して通信する前に、送信装置は、いくつかの例では、無認可無線周波数スペクトル帯域にアクセスするために、ＬＢＴ手順を実行し得る。そのようなＬＢＴ手順は、無認可無線周波数スペクトル帯域のチャネルが利用可能であるかどうかを決定するために、クリアチャネル評価（ＣＣＡ:clear channel assessment）手順を実行することを含む場合がある。いくつかの例では、複数のＮ  ＣＣＡ手順を備える拡張ＣＣＡ（ｅＣＣＡ:extended CCA）手順が実行され得る。チャネルが利用可能であると決定されると、送信装置は、利用可能チャネルを含むキャリアを介して通信することができる。送信装置は、チャネル使用ビーコン信号（ＣＵＢＳ:channel usage beacon signal）をブロードキャストすることもできる。ＣＵＢＳは、利用可能チャネルの使用を、他のＵＥ１１５および／または基地局１０５に対して示し得る。ＣＵＢＳは、アップリンク通信（Ｕ−ＣＵＢＳ）のため、またはダウンリンク通信（Ｄ−ＣＵＢＳ）のための利用可能チャネルの使用を示し得る。
【００７８】
[0093]送信機会は、無線フレーム、無線フレームのサブセット、またはそれらのどの組合せも含み得る。同様に、無線フレームは、本明細書において、送信機会を表すのに使われ得る。ＴＤＤ無線フレームは、ダウンリンクサブフレームと、アップリンクサブフレームと、第１の特殊サブフレームＳと、第２の特殊サブフレームＳ’とを含み得る。ダウンリンクサブフレームは、ダウンリンク通信を含み得る。アップリンクサブフレームは、アップリンク通信を含み得る。特殊サブフレーム（ＳおよびＳ’）は、制御および／またはシグナリング通信を含み得る。たとえば、第１の特殊サブフレームＳはＤ−ＣＵＢＳを運ぶことができ、第２の特殊サブフレームＳ’はＵ−ＣＵＢＳを運ぶことができる。特殊サブフレーム（ＳおよびＳ’）は、制御および／またはシグナリング通信に加え、アップリンクまたはダウンリンク通信も含み得る。たとえば、第１の特殊サブフレームＳはアップリンク通信を含むことができ、第２の特殊サブフレームＳ’はダウンリンク通信を含むことができる。
【００７９】
[0094]ＵＥ１１５は、基地局１０５からフレームフォーマットインジケータを受信し得る。フレームフォーマットインジケータは、現在の無線フレームに適用可能であり得るダウンリンクサブフレーム、アップリンクサブフレーム、および特殊サブフレームのフォーマットをＵＥ１１５に示すＴＤＤ構成インジケータを含み得る。ＴＤＤ構成インジケータは、無線フレームごとに変わり得る。現在の無線フレーム用に利用可能なＴＤＤ構成インジケータの数は、ＣＣＡ手順が完了されるときに少なくとも部分的に基づき得る。ＣＣＡ手順が無線フレーム中でより後で完了された場合、より少ない数のＴＤＤ構成インジケータが、無線フレーム用に利用可能であり得る。
【００８０】
[0095]図２は、本開示の様々な態様による、無線フレームに適用可能であり得るＴＤＤ構成２１５−ａ〜２１５−ｈの例を示すテーブル２００を示す。ＴＤＤ構成２１５−ａ〜２１５−ｈの各々は、４ビットコード２１０によって表され得る。４ビットコード２１０は、番号０〜７を示すための３ビットワード、それに加えた、パリティのための１つの追加ビットに基づき得る。番号０〜７は、ＴＤＤ構成２１５−ａ〜２１５−ｈの各々に対応し得る。ＴＤＤ構成２１５−ａ〜２１５−ｈは、無線フレームのどのサブフレーム２０５−ａ〜２０５−ｊが、ダウンリンクサブフレーム（テーブル２００において「Ｄ」と示される）、アップリンクサブフレーム（テーブル２００において「Ｕ」と示される）、または特殊サブフレーム（テーブル２００において「Ｓ」および「Ｓ’」と示される）として構成され得るかを指示し得る。パリティのための追加ビットは、３ビットワードのパリティチェックに基づき得る。ａ０、ａ１およびａ２が、３ビットワードの３ビットである場合、パリティチェックは、ｘｏｒ（ａ０，ａ１）と、ｘｏｒ（ａ０，ａ２）と、ｘｏｒ（ａ１，ａ２）と、ｘｏｒ（ａ０，ａ１，ａ２）とを含み得る。ときには、無線フレームは送信機会を表し得る。
【００８１】
[0096]たとえば、ＴＤＤ構成２１５−ｃは、ビット「０１０１」を有する４ビットコード２１０に対応し得る。ＴＤＤ構成２１５−ｃのサブフレーム２０５−ａ〜２０５−ｃはダウンリンクサブフレーム「Ｄ」であり、サブフレーム２０５−ｄは特殊サブフレーム「Ｓ」であり、サブフレーム２０５−ｅ〜２０５−ｉはアップリンクサブフレーム「Ｕ」であり、サブフレーム２０５−ｊは特殊サブフレーム「Ｓ’」であり得る。特殊サブフレームＳは、アップリンクサブフレームＵに先立って構成され得る。特殊サブフレームＳは、Ｕ−ＣＵＢＳを含むことができ、追加ダウンリンク通信も含むことができる。特殊サブフレームＳ’は、新たな無線フレームに先立って構成され得る。特殊サブフレームＳ’は、Ｄ−ＣＵＢＳを含むことができ、追加アップリンク通信も含むことができる。ＴＤＤ構成２１５−ａ〜２１５−ｈの各々は、少なくとも１つのダウンリンクサブフレームＤと、１つの特殊サブフレームＳ’とを含み得る。ＴＤＤ構成２１５−ａ〜２１５−ｈは、Ｓ’Ｄ［Ｄ．．．Ｄ］ＳＵ［Ｕ．．．Ｕ］の正準（canonical）パターンに従い得る。
【００８２】
[0097]いくつかの例では、フレームフォーマットインジケータは、アップリンクサブフレームＵをもたないキャリアアグリゲーションモードにおいて、付加ダウンリンク（ＳＤＬ）構成２１５−ｈをサポートし得る。ＳＤＬ構成２１５−ｈは、８つのダウンリンクサブフレームＤと、１つの特殊サブフレームＳ’とを含み得る。
【００８３】
[0098]利用可能ＴＤＤ構成の数は、基地局によって実行されるｅＣＣＡ手順に少なくとも部分的に基づき得る。利用可能ＴＤＤ構成の数は、さらに、ＵＥが、第１のダウンリンクサブフレームの前にＤ−ＣＵＢＳを検出し復号するのにかかる時間に少なくとも一部基づき、また、ＵＥが、第１のアップリンクサブフレームに先立ってチャネルを復号するのにかかる時間による。
【００８４】
[0099]フレームフォーマットインジケータ用の利用可能ＴＤＤ構成の数は、基地局がｅＣＣＡ手順を完了したときに少なくとも部分的に基づき得る。いくつかの例では、利用可能ＴＤＤ構成は、ｅＣＣＡ手順が完了された少なくとも４サブフレーム後に、アップリンクサブフレームを構成することができる。たとえば、基地局が、サブフレーム５の間にｅＣＣＡ手順を完了した場合、フレームフォーマットインジケータは、サブフレーム５の４サブフレーム後のアップリンクサブフレームをもつＴＤＤ構成（たとえば、ＴＤＤ構成６  ２１５−ｇ）を指示し得る。アップリンクサブフレームがより早く構成された場合、ＵＥには、アップリンクサブフレーム用のデータを構成するのに十分な時間がないことがある。したがって、１つのＴＤＤ構成（たとえば、ＴＤＤ構成６  ２１５−ｇ）がＵＥへシグナリングされ得る。別の例として、基地局がサブフレーム４中にｅＣＣＡ手順を完了した場合、フレームフォーマットインジケータは、ＴＤＤ構成５または６（２１５−ｆまたは２１５−ｇ）を指示し得る。基地局がサブフレーム３中にｅＣＣＡ手順を完了した場合、フレームフォーマットインジケータは、ＴＤＤ構成４、５または６（２１５−ｅ、２１５−ｆまたは２１５−ｇ）を指示し得る。基地局がサブフレーム２中にｅＣＣＡ手順を完了した場合、フレームフォーマットインジケータは、ＴＤＤ構成３〜６（２１５−ｄ〜２１５−ｇ）のうちの１つを指示し得る。基地局がサブフレーム１中にｅＣＣＡ手順を完了した場合、フレームフォーマットインジケータは、ＴＤＤ構成２〜６（２１５−ｃ〜２１５−ｇ）のうちの１つを指示し得る。基地局がサブフレーム０中にｅＣＣＡ手順を完了した場合、フレームフォーマットインジケータは、ＴＤＤ構成１〜６（２１５−ｂ〜２１５−ｇ）のうちの１つを指示し得る。ｅＣＣＡ手順が、前の無線フレームのサブフレーム９中に完了された場合、ＴＤＤ構成０〜６（２１５−ａ〜２１５−ｈ）のうちの任意のものが、フレームフォーマットインジケータによって指示され得る。ＳＤＬ構成２１５−ｈは、基地局のｅＣＣＡ手順に依存しなくてよい。
【００８５】
[0100]いくつかの例では、フレームフォーマットインジケータは、ＴＤＤ構成の変化により、現在の無線フレーム中に基地局によって送信される場合がある。無線フレーム中のＴＤＤ構成の変化は、上述したような、ｅＣＣＡ手順が完了されたタイミングによるものではない場合がある。
【００８６】
[0101]いくつかの例では、ＵＥは、アップリンク２次コンポーネントキャリア（Ｕ−ＳＣＣ）上でのアップリンク送信を自己スケジュールすることができる。アップリンク自己スケジューリングを用いて、ＵＥは、対応する自己スケジュールされたアップリンクサブフレームより４サブフレーム以上前に、アップリンクグラントを受信することができる。アップリンク自己スケジューリングを用いると、利用可能ＴＤＤ構成は、ＵＥがアップリンクグラントに応答するためのギャップ時間に少なくとも部分的に基づき得、アップリンクグラントのための、ＵＥにおける処理時間にも少なくとも部分的に基づき得る。自己スケジュールされたアップリンクのためのアップリンクグラントは、現在の送信機会または無線フレームの、１つのアップリンクサブフレームＵ用であっても、複数の連続するアップリンクサブフレームＵ用であってもよい。アップリンクグラントは、アップリンクグラントが送信された現在の無線フレームの後に満了し得る。
【００８７】
[0102]ＵＥがアップリンク送信を自己スケジュールした場合、利用可能ＴＤＤ構成は、ＵＥがアップリンク送信を自己スケジュールするための追加時間に少なくとも部分的に基づき得る。いくつかの例では、自己スケジューリングＵＥ用のＴＤＤ構成は、基地局のｅＣＣＡ手順が完了されてから４サブフレームよりも後にアップリンクサブフレームを構成し得る。アップリンクサブフレームがより早く構成された場合、自己スケジューリングＵＥには、アップリンクサブフレーム用のデータを構成するのに十分な時間がないことがある。たとえば、基地局がサブフレーム４中にｅＣＣＡ手順を完了した場合、フレームフォーマットインジケータは、ＴＤＤ構成６（２１５−ｇ）を指示し得る。他のＴＤＤ構成のうちの１つが指示された場合、ＵＥには、アップリンクサブフレームを構成する時間がないことがある。別の例として、基地局がサブフレーム３中にｅＣＣＡ手順を完了した場合、フレームフォーマットインジケータは、ＴＤＤ構成５または６（２１５−ｆまたは２１５−ｇ）を指示し得る。基地局がサブフレーム２中にｅＣＣＡ手順を完了した場合、フレームフォーマットインジケータは、ＴＤＤ構成４、５または６（２１５−ｅ、２１５−ｆまたは２１５−ｇ）を指示し得る。基地局がサブフレーム１中にｅＣＣＡ手順を完了した場合、フレームフォーマットインジケータは、ＴＤＤ構成３〜６（２１５−ｄ〜２１５−ｇ）のうちの１つを指示し得る。基地局がサブフレーム０中にｅＣＣＡ手順を完了した場合、フレームフォーマットインジケータは、ＴＤＤ構成２〜６（２１５−ｃ〜２１５−ｇ）のうちの１つを指示し得る。ある例では、ＴＤＤ構成０および１（２１５−ａおよび２１５−ｂ）は、自己スケジューリングＵＥがアップリンクサブフレーム用のデータを構成する時間をもつ前に、アップリンクサブフレームが発生するべきであることを示し得る。したがって、ＴＤＤ構成０および１（２１５−ａおよび２１５−ｂ）は、ＵＥがアップリンク送信を自己スケジューリングしているかどうかに少なくとも部分的に基づき得る。
【００８８】
[0103]いくつかの例では、ＵＥは、Ｕ−ＳＣＣ用に、１次コンポーネントキャリア（ＰＣＣ）からクロスキャリアアップリンクグラントを受信し得る。各クロスキャリアアップリンクグラントは、１つのアップリンクサブフレームＵについてであり得る。クロスキャリアアップリンクグラントは、クロスキャリアアップリンクグラントが受信されてから４サブフレーム後であるアップリンクサブフレームＵに対応し得る。したがって、クロスキャリアアップリンクグラントをもつ利用可能ＴＤＤ構成は、自己スケジュールされたアップリンクをもつ利用可能ＴＤＤ構成と同じであり得る。クロスキャリアアップリンクグラントの４サブフレーム後のサブフレームがアップリンクサブフレームＵとして構成されていない場合、クロスキャリアアップリンクグラントは無効になり得る。
【００８９】
[0104]図１の基地局１０５などの基地局は、ＵＥにフレームフォーマットインジケータを送信し得る。フレームフォーマットインジケータは、物理フレームフォーマットインジケータ、物理フレームフォーマットインジケータチャネル、ＴＤＤフォーマットインジケータチャネル、拡大ＴＤＤフォーマットインジケータチャネルなどとも呼ばれ得る。フレームフォーマットインジケータは、ＴＤＤ構成２１５−ａ〜２１５−ｈのうちのどれが無線フレーム、または送信機会に適用可能であり得るかを指示するコードワードを含み得る。コードワードは、適用可能ＴＤＤ構成に対応するコード２１０の繰り返し（repetition）であり得る。たとえば、対応するコード２１０の４つの繰り返しをもつ、ＴＤＤ構成２１５−ｅ用のコードワードは、「１００１１００１１００１１００１」であり得る。いくつかの例では、コードワードは、対応するコード２１０の１２個の繰り返しを含み得る。いくつかの例では、コードワードは、フレームフォーマットインジケータを含むビットストリームの長さを調節するために、巡回的に拡張され得る。フレームフォーマットインジケータを含むビットストリームの長さを調節すると、ビットストリームは、他のビットストリームのレートに合致するようになり得る。
【００９０】
[0105]場合によっては、コード２１０、またはコードワードは、異なる符号化または復号方式に基づき得る。たとえば、６ビットのリードマラーコードが使われ得る。具体的には、（３２，Ｏ）コーディング方式が実装され、ここで、出力は少なくとも３２ビットであり、Ｏは符号化または入力ビットの数である。場合によっては、Ｏは１１以下であってよい。コード２１０、またはコードワードは、数回繰り返されてよい。場合によっては、コード２１０、またはコードワードは、アップリンク送信のために、物理アップリンク制御チャネル（ＰＵＣＣＨ）と同様にコーディングされ得る。コード２１０、またはコードワードは、当技術分野において知られているどのコーディング方式を使って符号化または復号されてもよいことに留意されたい。
【００９１】
[0106]いくつかの例では、コードは、現在の送信機会用の特殊サブフレームＳに先立って発生するダウンリンクサブフレームの数Ｄを指示し得る。ＵＥは次いで、最終サブフレームまで（たとえば、サブフレーム９まで）、特殊サブフレームＳの後に来る、現在の送信機会のすべてのサブフレームをアップリンクサブフレームＵとして構成し得る。最終サブフレーム（たとえば、サブフレーム９）は、無認可無線周波数スペクトル帯域のチャネルへのアクセスを得るためのＬＢＴ手順を実行するために、特殊サブフレームＳ’として構成され得る。たとえば、「０００」というコードは、特殊サブフレームＳの前の１つのダウンリンクサブフレームＤを指示し得る。「００１」というコードは、特殊サブフレームＳの前の２つのダウンリンクサブフレームＤを指示し得る。「１１０」というコードは、特殊サブフレームＳの前の７つのダウンリンクサブフレームＤを指示し得る。そして、「１１０」というコードは、８つのダウンリンクサブフレームＤを有するとともに特殊サブフレームＳをもたないＳＤＬ構成を指示し得る。いくつかの例では、４ビットコードを生じるように、パリティビットがコードに追加され得る。
【００９２】
[0107]コードワードは非線形であり得る。任意の２つのコードワードの間の距離は２＊Ｎ以上であってよく、ここで、Ｎは、各コードワード用に使われるコード２１０の繰り返しの数である。任意のコードワードの間の最小距離は、少なくとも２であり得る。一例として、Ｎ＝８つの繰り返しの場合、任意の２つのコードワードの間の距離は１６であり得る。Ｎ＝１２個の繰り返しの場合、任意の２つのコードワードの間の距離は２４であり得る。コード２１０の繰り返しは、コードワードのビットシーケンスを生成し得る。Ｎ＝１２個の繰り返しの場合、ビットシーケンスは、ｂ（０），ｂ（１），．．．，ｂ（４７）と記され得る。
【００９３】
[0108]図１の基地局１０５などの基地局は、ビットｂ（０），ｂ（１），．．．，ｂ（４７）からなるブロックをセル固有シーケンスでスクランブルし得、その結果、ｂ’（ｉ）＝（ｂ（ｉ）＋ｃ（ｉ））ｍｏｄ２に従って、スクランブルされたビットのブロックが生じ、ここで、ｃ（ｉ）はセル固有シーケンスに対応する。セル固有シーケンス用のシーケンスジェネレータは、初期化コード、初期化され得る。ビットｂ（０），（ｂ１），．．．，ｂ（４７）のブロックはまた、ＰＬＭＮ  ＩＤに基づいてスクランブルされ得る。
【００９４】
[0109]スクランブルされたビットｂ’（０），ｂ’（１），．．．，ｂ’（４７）のブロックは、４位相シフトキーイング（ＱＰＳＫ）変調を使って変調されてよく、その結果、複素数値変調シンボルｄ（０），ｄ（１），．．．，ｄ（２３）のブロックが生じる。変調されたシンボルは、２つのポート空間周波数ブロックコード（ＳＦＢＣ）シンボルにマップされ得る。２つのポートは、基地局の第１および第２のアンテナポートに対応し得る。第１および第２のアンテナポートは、ＣＵＢＳ送信にも使われ得る。ＳＦＢＣ符号化の出力は、ベクトルｙ（ｉ）＝［ｙ(0)（ｉ），ｙ(1)（ｉ）］のブロックであり得、ｉ＝０，１，２，３，．．．，２３である。
【００９５】
[0110]図３Ａは、本開示の様々な態様による、無認可無線周波数スペクトル帯域のチャネルのリソースブロック（ＲＢ）３０５−ａ〜３０５−ｍの例３００−ａを示す。いくつかの例では、チャネルは、２０ＭＨｚの帯域幅を有してよく、ＲＢの数ＮRB（たとえば、ＮRB＝１００）を含み得る。各ＲＢ３０５−ａ〜３０５−ｍは、２つの拡大リソース要素グループ（ｅＲＥＧ）を含み得る。たとえば、ＲＢ３０５−ｂは、ｅＲＥＧ２  ３１０−ａとｅＲＥＧ３  ３１０−ｂとを含み得る。各ｅＲＥＧのインデックスは、ＲＢのインデックスに関連付けられ得る。たとえば、ＲＢ  ｍに関連付けられたｅＲＥＧインデックスのセットは２ｍおよび２ｍ＋１であり、ここでｍ＝０，１，２，．．．，ＮRB−１である。各ｅＲＥＧは、６つのトーンに分割され得る。たとえば、ｅＲＥＧ２  ３１０−ａは、トーン３１５−ａ〜３１５−ｆに分割され得る。
【００９６】
[0111]ＣＵＢＳは、ｅＲＥＧの６つのトーンのうちの２つを占有し得る。たとえば、ｅＲＥＧ２  ３１０−ａのトーン０  ３１５−ａおよびトーン３  ３１５−ｄが、ＣＵＢＳによって占有され得る。図１のＵＥ１１５などのＵＥは、第１のＤＬサブフレームの前に、最終ＯＦＤＭシンボルの１つのＲＢ中でＣＵＢＳを受信することを期待し得る。ＣＵＢＳは、（基準信号と同様に）チャネル条件を推定するのに使われ得る。どの２つのトーンがＣＵＢＳによって占有されるかの選択は、セル識別（ＩＤ）および／またはＰＬＭＮ（public land mobile network）ＩＤに応じ得る。
【００９７】
[0112]ＣＵＢＳによって占有されるｅＲＥＧの残りのトーンのうちの１つまたは複数は、フレームフォーマットインジケータに利用可能であり得る。たとえば、ｅＲＥＧ２  ３１０−ａのトーン１  ３１５−ｂ、トーン２  ３１５−ｃ、トーン４  ３１５−ｅおよび／またはトーン５  ３１５−ｆが、フレームフォーマットインジケータに利用可能であり得る。ｅＲＥＧにマップされたフレームフォーマットインジケータは、ｅＲＥＧを占有するＣＵＢＳと同じ電力ブースト（boost）値を有し得、βFFI＝βCUBSによって記される。
【００９８】
[0113]２つのポートＳＦＢＣシンボル（［ｙ(0)（ｉ），ｙ(1)（ｉ）］）にマップされた、変調されたシンボルは、ｅＲＥＧにマップされる前に、βFFIで乗算され得る。ｅＲＥＧへのマッピングは、４つ組み（quadruplets）の複素数値シンボルの観点から定義され得、ｚp（ｉ）＝βFFI｛ｙp（４ｉ），ｙp（４ｉ＋１），ｙp（４ｉ＋２），ｙp（４ｉ＋３）｝、ｉ＝０，１，２，３，４，５と表され、ここで、シンボルの１つのクアドルプレット（quadruplet）はアンテナポートｐに対応する。ｅＲＥＧにマップされた第ｉのクアドルプレットは、
【００９９】
【数１】
0006629295.tif 000002
【０１００】
と表され得る。
【０１０１】
[0114]図３Ｂは、本開示の様々な態様による、フレームフォーマットインジケータを運ぶためのトーンの例３００−ｂを示す。トーン３１５−ａ〜３１５−ｆは、（図３Ａに示した）ｅＲＥＧ２のトーンであり得る。トーン３２０−ａ〜３２０−ｆは、（図３Ａに示した）ｅＲＥＧ３のトーンであり得る。ＣＵＢＳは、ｅＲＥＧの６つのトーンのうちの２つを占有し得る。たとえば、ｅＲＥＧ２のトーン０  ３１５−ａおよびトーン３  ３１５−ｄ、ならびにｅＲＥＧ３のトーン０  ３２０−ａおよびトーン３  ３２０−ｄが、ＣＵＢＳによって占有され得る。ＣＵＢＳを運ぶｅＲＥＧの残りのトーンは、フレームフォーマットインジケータを運ぶことができる。たとえば、ｅＲＥＧ２フレームフォーマットインジケータ３２５−ａは、ｅＲＥＧ２のトーン１  ３１５−ｂ、トーン２  ３１５−ｃ、トーン４  ３１５−ｅ、および／またはトーン５  ３１５−ｆによって運ばれ得る。ｅＲＥＧ３フレームフォーマットインジケータ３２５−ｂは、ｅＲＥＧ３のトーン１  ３２０−ｂ、トーン２  ３２０−ｃ、トーン４  ３２０−ｅ、および／またはトーン５  ３２０−ｆによって運ばれ得る。
【０１０２】
[0115]図４は、本開示の様々な態様による、無認可無線周波数スペクトル帯域のチャネルのリソースブロック（ＲＢ）４０５0〜４０５99の別の例４００を示す。いくつかの例では、チャネルは、２０ＭＨｚの帯域幅を有し得る（たとえば、ＮRB＝１００）。いくつかの例では、１００個のＲＢ４０５0〜４０５99のサブセット（ＮRB,FFI）が、フレームフォーマットインジケータ用に利用可能であり得る。たとえば、９６個のＲＢがフレームフォーマットインジケータ用に利用可能であってよく、４つのＲＢは除かれてよい（ＮRB,FFI＝９６）。フレームフォーマットインジケータ用の９６個のＲＢの可用性は、ＲＢへのフレームフォーマットインジケータのマッピングを簡略化することができ、（たとえば、９６が６の倍数であることにより）復号パフォーマンスを向上させ得る。他の基地局（たとえば、図１の基地局１０５）からの追加フレームフォーマットインジケータは、９６個のＲＢのうちの１つまたは複数に多重化され得る。
【０１０３】
[0116]フレームフォーマットインジケータ向けの可用性から除かれ得るＲＢは、ＲＢ０  ４０５0とＲＢ９９  ４０５99とを含み得る。ＲＢ０  ４０５0およびＲＢ９９  ４０５99は、チャネルのスペクトルのエッジにある場合があり、劣化したチャネル推定を受け得る。ＲＢ４９  ４０５49およびＲＢ５０  ４０５50も、フレームフォーマットインジケータ向けの可用性から除かれ得る。ＲＢ４９  ４０５49およびＲＢ５０  ４０５50は、直流（ＤＣ）搬送周波数に隣接し得、このことば、それらのＲＢ向けのチャネル補間に影響を与え得る。フレームフォーマットインジケータ用に利用可能な残りのＲＢのｅＲＥＧは、｛０，１，２，３，．．．，２ＮRB,FFI−１｝とインデックス付けられ得る。たとえば、ＮRB,FFI＝９６である場合、フレームフォーマットインジケータ用に利用可能なｅＲＥＧのセットは、インデックス｛０，１，２，３，．．．，１９１｝を有し得る。
【０１０４】
[0117]図５Ａは、本開示の様々な態様による無線フレームの例５００−ａを示す。無線フレームは送信機会を表し得る。無線フレームは、サブフレーム０〜サブフレーム９を含み得る。いくつかの例では、前の無線フレームのサブフレーム９は、第１のダウンリンク特殊サブフレーム５０５−ａであり得る。第１のダウンリンク特殊サブフレーム５０５−ａは、Ｄ−ＣＵＢＳを含み得る。第１のダウンリンク特殊サブフレーム５０５−ａは、第１のフレームフォーマットインジケータ５１０−ａも含み得る。いくつかの例では、フレームフォーマットインジケータは、Ｄ−ＣＵＢＳを運ぶあらゆるＯＦＤＭシンボル中で送信され得る。フラクショナルＤ−ＣＵＢＳがその中で送信されるＯＦＤＭシンボルは、フレームフォーマットインジケータを含まない場合がある。第１のフレームフォーマットインジケータ５１０−ａは、サブフレーム０の開始前の、現在の無線フレーム用のＴＤＤ構成を指示し得る。たとえば、第１のフレームフォーマットインジケータ５１０−ａは、６つのダウンリンクサブフレーム５１５−ａ〜５１５−ｆと、２つのアップリンクサブフレーム５２５−ａおよび５２５−ｂ（すなわち、図２のＴＤＤ構成５）と、を含むＴＤＤ構成を指示し得る。アップリンク特殊サブフレーム５２０は、アップリンクサブフレーム５２５−ａおよび５２５−ｂに先立って構成され得る。アップリンク特殊サブフレーム５２０は、Ｕ−ＣＵＢＳを含むことができ、追加ダウンリンク通信も含み得る。アップリンクサブフレーム５２５−ａおよび５２５−ｂの後で、第２のダウンリンク特殊サブフレーム５０５−ｂが、現在の無線フレームのサブフレーム９用に構成され得る。第２のダウンリンクサブフレーム５０５−ｂは、第２のフレームフォーマットインジケータ５１０−ｂを含むことができ、追加アップリンク通信も含み得る。第２のフレームフォーマットインジケータは、次の無線フレーム用のＴＤＤ構成を指示し得る。
【０１０５】
[0118]いくつかの例では、ダウンリンクサブフレームのスタート前のサブフレームの最終ＯＦＤＭシンボル中に、フレームフォーマットインジケータが存在し得る。たとえば、サブフレーム０および１（５１５−ａおよび５１５−ｂ）におけるダウンリンク通信に続いて、サブフレーム２および３（５１５−ｃおよび５１５−ｄ）がアイドルである場合、第１のフレームフォーマットインジケータ５１０−ａは、ダウンリンク通信がサブフレーム４（５１５−ｅ）において再開する前に、サブフレーム３（５１５−ｄ）中に存在し得る。サブフレーム３（５１５−ｄ）中の第１のフレームフォーマットインジケータ５１０−ａは、前の無線フレームのサブフレーム９（５０５−ａ）中の第１のフレームフォーマットインジケータ５１０−ａと同じＴＤＤ構成を指示し得る。
【０１０６】
[0119]場合によっては、フレームフォーマットインジケータは、サブフレーム、部分サブフレーム、またはブランクサブフレーム用のＴＤＤ構成を指示し得る。同様に、フレームフォーマットインジケータは、無線フレーム、サブフレーム、ブランクサブフレーム、および部分サブフレームの任意の組合せなど、送信機会用のＴＤＤ構成を、たとえば同時に指示し得る。フレームフォーマットインジケータは、フレームフォーマットインジケータに付加された追加ビットを通して、追加サブフレーム、ブランクサブフレーム、または部分サブフレーム用のＴＤＤ構成を指示し得る。場合によっては、複数の無線フレーム、サブフレーム、ブランクサブフレーム、または部分サブフレーム用のＴＤＤ構成を指示するフレームフォーマットインジケータは、フレームフォーマットインジケータを符号化する前のフレームフォーマットインジケータの一部として追加ビットを含み得る。いくつかの例では、無線フレームは、たとえばスケジューリングやフォーマッティングのために、無線フレームの前の部分サブフレーム、またはその後の部分サブフレームを有することができ、これは、無線フレームが、データなどのアップリンクおよびダウンリンク送信に使われることを可能にし得る。場合によっては、ブランクサブフレームが、たとえばタイミング目的で使われ得る。たとえば、２つのキャリアが、周波数では接近しているが、ダウンリンク上で送信するべき異なる量のデータを有する場合、例えば、当該２つのキャリアが周波数において十分に接近しており、当該２つのキャリアがアップリンクおよびダウンリンクのために同時には使うことができない場合には、より少ないデータをもつキャリアにブランクサブフレームが追加または付加され、したがって、アップリンクは、両方のキャリアについて同時にスタートすることができる。
【０１０７】
[0120]フレームフォーマットインジケータは、サブフレームのサイズまたは長さに基づいてＴＤＤ構成を指示し得る。たとえば、部分サブフレームのためのＴＤＤ構成を指示するフレームフォーマットインジケータが、１ｍｓまたは３ｍｓなどの小さいフレームフォーマットのために使われ得る。場合によっては、５ｍｓまたは６ｍｓなどの閾値まで、部分サブフレームが、小さいフレームフォーマットのために使用され得、その後、フルサブフレームが使われ得る。いくつかの例では、フレームフォーマットが閾値を超える場合、部分サブフレームは使用され得ない。
【０１０８】
[0121]いくつかの例では、ＵＥは、現在の無線フレーム中に受信されたフレームフォーマットインジケータ５１０が無効であると決定し得る。ＵＥは、フレームフォーマットインジケータ５１０が、フレームフォーマットインジケータ５１０が受信された時点で利用可能でないＴＤＤ構成を指示する場合、フレームフォーマットインジケータ５１０が無効であると決定し得る。たとえば、フレームフォーマットインジケータ５１０が、サブフレーム３（５１５−ｄ）中に受信され、アップリンクサブフレームとしてサブフレーム４（５１５−ｅ）を有するＴＤＤ構成を指示する場合、ＵＥは、フレームフォーマットインジケータ５１０が無効であると決定してよい。
【０１０９】
[0122]図５Ｂは、本開示の様々な態様による無線フレームの別の例５００−ｂを示す。無線フレームは送信機会を表し得る。無線フレームは、サブフレーム０〜サブフレーム９を含み得る。図５Ｂの無線フレームは、図５Ａの無線フレームと同じＴＤＤ構成を有し得るが、最初の４つのダウンリンクサブフレーム５１５−ａ〜５１５−ｄは、干渉５３０により、ＣＣＡ手順をクリアし得ない。したがって、干渉５３０がおさまり、クリアＣＣＡ手順が検出されるサブフレーム３（５１５−ｄ）まで、第１のフレームフォーマットインジケータ５１０−ａは存在することができない。第１のフレームフォーマットインジケータ５１０−ａは、現在の無線フレームの中間において受信され得るが、第１のフレームフォーマットインジケータ５１０−ａは依然として、現在の無線フレーム用のＴＤＤ構成を指示し得る。たとえば、図５Ａでのように、第１のフレームフォーマットインジケータ５１０−ａは、６つのダウンリンクサブフレーム５１５−ａ〜５１５−ｆと、２つのアップリンクサブフレーム５２５−ａおよび５２５−ｂ（すなわち、図２のＴＤＤ構成５）とを含むＴＤＤ構成を指示し得る。最初の４つのダウンリンクサブフレーム５１５−ａ〜５１５−ｄは、クリアＣＣＡ手順の検出の前に発生したので、考慮され得ない。フレームフォーマットインジケータが、無線フレームの中間において受信された場合、図１のＵＥ１１５などのＵＥは、フレームフォーマットインジケータの前に発生したどのサブフレームも、ＣＣＡ手順をクリアしなかったダウンリンクサブフレームであったとみなし得る。図５Ｂの残りのサブフレーム４〜９は、図５Ａのサブフレーム４〜９と同じに構成され得る。アップリンク特殊サブフレーム５２０は、アップリンクサブフレーム５２５−ａおよび５２５−ｂの前に構成され得る。アップリンク特殊サブフレーム５２０は、Ｕ−ＣＵＢＳを含むことができ、追加ダウンリンク通信も含み得る。アップリンクサブフレーム５２５−ａおよび５２５−ｂの後で、第２のダウンリンク特殊サブフレーム５０５−ｂが、現在の無線フレームのサブフレーム９用に構成され得る。第２のダウンリンクサブフレーム５０５−ｂは、第２のフレームフォーマットインジケータ５１０−ｂを含み得、追加アップリンク通信も含み得る。第２のフレームフォーマットインジケータは、次の無線フレーム用のＴＤＤ構成を指示し得る。
【０１１０】
[0123]図６は、本開示の様々な態様による、ワイヤレス通信において使用するためのＵＥ６１５のブロック図６００を示す。いくつかの例では、ＵＥ６１５は、図１を参照しながら説明したＵＥ１１５の態様の例であり得る。ＵＥ６１５はプロセッサでもあり得る。ＵＥ６１５は、ＵＥ受信機コンポーネント６１０、ＵＥフレームフォーマットインジケータコンポーネント６２０、および／またはＵＥ送信機コンポーネント６３０を含み得る。これらのコンポーネントの各々は、互いに通信し得る。
【０１１１】
[0124]ＵＥ６１５のコンポーネントは、個別にまたは集合的に、ハードウェア中の適用可能な機能の一部または全部を実施するように適応された１つまたは複数の特定用途向け集積回路（ＡＳＩＣ）を用いて実装され得る。代替として、機能は、１つまたは複数の集積回路上で、１つまたは複数の他の処理ユニット（またはコア）によって実施され得る。他の例では、当技術分野で知られている任意の方式でプログラムされ得る、他のタイプの集積回路（たとえば、構造化／プラットフォームＡＳＩＣ、フィールドプログラマブルゲートアレイ（ＦＰＧＡ）、および他のセミカスタムＩＣ）が使用される場合がある。各ユニットの機能はまた、全体的にまたは部分的に、１つまたは複数の汎用プロセッサまたは特定用途向けプロセッサによって実行されるようにフォーマットされた、メモリ内で具現化された命令を用いて実装され得る。
【０１１２】
[0125]いくつかの例では、ＵＥ受信機コンポーネント６１０は、認可無線周波数スペクトル帯域（たとえば、無線周波数スペクトル帯域がいくつかの用途のために１人もしくは複数のユーザ（たとえば、ＬＴＥ／ＬＴＥ−Ａユーザ）に認可されているので、装置がアクセスを求めて競合しない無線周波数スペクトル帯域）、ならびに／または無認可無線周波数スペクトル帯域（たとえば、無線周波数スペクトル帯域が無認可の用途（たとえば、無認可無線周波数スペクトル帯域におけるＷｉ−Ｆｉ（登録商標）用途および／もしくはＬＴＥ／ＬＴＥ−Ａ用途）のために少なくとも一部利用可能であるので、装置がアクセスを求めて競合する必要があり得る無線周波数スペクトル帯域）を介して送信を受信するように動作可能な少なくとも１つの無線周波数（ＲＦ）受信機など、少なくとも１つのＲＦ受信機を含み得る。いくつかの例では、認可無線周波数スペクトル帯域および／または無認可無線周波数スペクトル帯域は、たとえば、図１〜図５を参照して説明されたように、無線フレームおよび／またはフレームフォーマットインジケータの通信のために使用され得る。ＵＥ受信機コンポーネント６１０は、場合によっては、認可無線周波数スペクトル帯域と無認可無線周波数スペクトル帯域とのための別個の受信機を含み得る。別個の受信機は、いくつかの例では、認可無線周波数スペクトル帯域上で通信するための認可ＲＦスペクトル帯域受信機コンポーネント６１２、および無認可無線周波数スペクトル帯域上で通信するための無認可ＲＦスペクトル帯域受信機コンポーネント６１４の形態をとり得る。ＵＥ受信機コンポーネント６１０はまた、他の無線周波数スペクトル帯域を介して通信するための、および／または他の無線アクセス技術（たとえば、Ｗｉ−Ｆｉ）を介して通信するための受信機コンポーネントを含み得る。認可ＲＦスペクトル帯域受信機コンポーネント６１２および／または無認可ＲＦスペクトル帯域受信機コンポーネント６１４を含むＵＥ受信機コンポーネント６１０は、図１に関して説明したワイヤレス通信システム１００の１つまたは複数の通信リンクなど、ワイヤレス通信システムの１つまたは複数の通信リンク上で様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１１３】
[0126]いくつかの例では、ＵＥ送信機コンポーネント６３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。ＵＥ送信機コンポーネント６３０は、場合によっては、認可無線周波数スペクトル帯域と無認可無線周波数スペクトル帯域とのための別個の送信機を含み得る。別個の送信機は、いくつかの例では、認可無線周波数スペクトル帯域上で通信するための認可ＲＦスペクトル帯域送信機コンポーネント６３２、および無認可無線周波数スペクトル帯域上で通信するための無認可ＲＦスペクトル帯域送信機コンポーネント６３４の形態をとり得る。認可ＲＦスペクトル帯域送信機コンポーネント６３２および／または無認可ＲＦスペクトル帯域送信機コンポーネント６３４を含むＵＥ送信機コンポーネント６３０は、図１に関して説明したワイヤレス通信システム１００の１つまたは複数の通信リンクなど、ワイヤレス通信システムの１つまたは複数の通信リンク上で様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１１４】
[0127]いくつかの例では、ＵＥフレームフォーマットインジケータコンポーネント６２０は、基地局からフレームフォーマットインジケータを受信し得る。ＵＥフレームフォーマットインジケータコンポーネント６２０は、基地局からのＲＢのｅＲＥＧ中でフレームフォーマットインジケータを受信し得る。ｅＲＥＧを含むＲＢは、システム帯域幅のエッジと、システム帯域幅の直流（ＤＣ）キャリアとの間にあり得る。フレームフォーマットインジケータは、ｅＲＥＧに対応するＯＦＤＭシンボル中で受信され得る。ＯＦＤＭシンボルは、現在の無線フレームのダウンリンクサブフレームの前に受信され得る。ＯＤＦＭシンボルは、ＣＵＢＳを運ぶことができる。ＵＥフレームフォーマットインジケータコンポーネント６２０は、現在の無線フレームの第１のダウンリンクサブフレームの終了前に、受信フレームフォーマットインジケータを復号することができる。フレームフォーマットインジケータを復号することは、コードワードを取得するために、フレームフォーマットインジケータを復調し、スクランブル解除することを含み得る。コードワードはＴＤＤ構成に関連付けられ得る。
【０１１５】
[0128]いくつかの例では、ＵＥフレームフォーマットインジケータコンポーネント６２０は、ＵＥ  ＴＤＤ構成コンポーネント６３５を含み得る。ＵＥ  ＴＤＤ構成コンポーネント６３５は、コードワードに基づいて、現在のサブフレーム用のＴＤＤ構成を決定し得る。コードワードはコードの繰り返しを含むことができ、コードは、ＵＥ  ＴＤＤ構成コンポーネント６３５に対してＴＤＤ構成を指示し得る。いくつかの例では、コードは、２つの特殊サブフレームの間のダウンリンクサブフレームの数を指示し得る。ＵＥ  ＴＤＤ構成コンポーネント６３５は、その数に基づいて、現在のサブフレーム用のＴＤＤ構成を決定し得る。
【０１１６】
[0129]いくつかの例では、ＵＥフレームフォーマットインジケータコンポーネント６２０は、現在の無線フレームのサブフレーム中に、第２のフレームフォーマットインジケータを受信し得る。ＵＥ  ＴＤＤ構成コンポーネント６３５は、どのサブフレームで第２のフレームフォーマットインジケータが受信されるかに少なくとも一部基づいて、第２のフレームフォーマットインジケータを無効にすることができる。
【０１１７】
[0130]いくつかの例では、ＵＥ  ＴＤＤ構成コンポーネント６３５は、ＴＤＤ構成が、１次セルからのクロスキャリアグラントに対応する少なくとも１つのアップリンクサブフレームを含むと決定し得る。ＵＥ  ＴＤＤ構成コンポーネント６３５は、クロスキャリアグラントが、スケジュールされたアップリンクサブフレームの少なくとも４サブフレーム前に発生している場合、アップリンクサブフレームを構成することができる。いくつかの例では、ＵＥ  ＴＤＤ構成コンポーネント６３５は、ＴＤＤ構成が、自己スケジュールされたアップリンクグラントに対応する少なくとも１つのアップリンクサブフレームを含むと決定し得る。ＵＥ  ＴＤＤ構成コンポーネント６３５は、自己スケジュールされたアップリンクグラントが、自己スケジュールされたアップリンクサブフレームの４サブフレームよりも前に発生している場合、アップリンクサブフレームを構成することができる。
【０１１８】
[0131]図７は、本開示の様々な態様による、ワイヤレス通信において使用するためのシステム７００を示す。システム７００はまた、図１のＵＥ１１５の一例であり得るＵＥ７１５を含み得る。ＵＥ７１５は、図６のＵＥ６１５の１つまたは複数の態様の例でもあり得る。
【０１１９】
[0132]ＵＥ７１５は、通信を送信するためのコンポーネントと通信を受信するためのコンポーネントとを含む、双方向音声およびデータ通信のためのコンポーネントを含み得る。ＵＥ７１５は、各々が（たとえば、１つまたは複数のバス７４５を介して）直接または間接的に互いに通信することができる、ＵＥアンテナ７４０と、ＵＥトランシーバコンポーネント７３５と、ＵＥプロセッサコンポーネント７０５と、（ソフトウェアコード７５０を含む）ＵＥメモリコンポーネント７１０とを含み得る。ＵＥトランシーバコンポーネント７３５は、上記で説明したように、ＵＥアンテナ７４０、および／または１つもしくは複数のワイヤードもしくはワイヤレスリンクを介して、１つまたは複数のネットワークと双方向に通信するように構成され得る。たとえば、ＵＥトランシーバコンポーネント７３５は、図１を参照すると、基地局１０５と双方向に通信するように構成され得る。ＵＥトランシーバコンポーネント７３５は、パケットを変調し、変調されたパケットを送信のためにＵＥアンテナ７４０に与え、ＵＥアンテナ７４０から受信されたパケットを復調するように構成されたモデムを含み得る。ＵＥ７１５は単一のアンテナ７４０を含み得るが、ＵＥ７１５は、複数のワイヤレス送信を同時に送信および／または受信することが可能な複数のアンテナ７４０を有し得る。ＵＥトランシーバコンポーネント７３５は、複数のコンポーネントキャリアを介して１つまたは複数の基地局１０５と同時に通信することが可能であり得る。ＵＥ７１５は、図６のＵＥ６１５のＵＥフレームフォーマットインジケータコンポーネント６２０について上述した機能を実施することができるＵＥフレームフォーマットインジケータコンポーネント７２０も含み得る。
【０１２０】
[0133]ＵＥメモリコンポーネント７１０は、ランダムアクセスメモリ（ＲＡＭ）および読み出し専用メモリ（ＲＯＭ）を含み得る。ＵＥメモリコンポーネント７１０は、実行されると、ＵＥプロセッサコンポーネント７０５に、本明細書で説明する様々な機能を実施させる（たとえば、フレームフォーマットインジケータからＴＤＤ構成を決定させる、など）ように構成された命令を含む、コンピュータ可読コンピュータ実行可能ソフトウェア／ファームウェアコード７５０を記憶し得る。代替的に、コンピュータ可読コンピュータ実行可能ソフトウェア／ファームウェアコード７５０は、ＵＥプロセッサコンポーネント７０５によって直接的に実行可能ではないことがあるが、（たとえば、コンパイルされ実行されると）コンピュータに本明細書で説明される機能を実施させるように構成され得る。ＵＥプロセッサコンポーネント７０５は、インテリジェントハードウェアデバイス、たとえば、中央処理ユニット（ＣＰＵ）、マイクロコントローラ、特定用途向け集積回路（ＡＳＩＣ）などを含み得る。
【０１２１】
[0134]図８は、本開示の様々な態様による、ワイヤレス通信において使用するための基地局８０５のブロック図８００を示す。いくつかの例では、基地局８０５は、図１を参照しながら説明した基地局１０５の態様の例であり得る。基地局８０５はプロセッサでもあり得る。基地局８０５は、基地局受信機コンポーネント８１０、基地局フレームフォーマットインジケータコンポーネント８２０、および／または基地局送信機コンポーネント８３０を含み得る。これらのコンポーネントの各々は、互いに通信し得る。
【０１２２】
[0135]基地局８０５のコンポーネントは、個別にまたは集合的に、ハードウェア内の適用可能な機能の一部またはすべてを実施するように適合された、１つまたは複数の特定用途向け集積回路（ＡＳＩＣ）を使って実装され得る。代替として、機能は、１つまたは複数の集積回路上で、１つまたは複数の他の処理ユニット（またはコア）によって実施され得る。他の例では、当技術分野で知られている任意の方式でプログラムされ得る、他のタイプの集積回路（たとえば、構造化／プラットフォームＡＳＩＣ、フィールドプログラマブルゲートアレイ（ＦＰＧＡ）、および他のセミカスタムＩＣ）が使用される場合がある。各ユニットの機能はまた、全体的にまたは部分的に、１つまたは複数の汎用プロセッサまたは特定用途向けプロセッサによって実行されるようにフォーマットされた、メモリ内で具現化された命令を用いて実装され得る。
【０１２３】
[0136]いくつかの例では、基地局受信機コンポーネント８１０は、認可無線周波数スペクトル帯域（たとえば、無線周波数スペクトル帯域がいくつかの用途のために１または複数のユーザ（たとえば、ＬＴＥ／ＬＴＥ−Ａユーザ）に認可されているので、装置がアクセスを求めて競合しない無線周波数スペクトル帯域）、ならびに／または無認可無線周波数スペクトル帯域（たとえば、無線周波数スペクトル帯域が無認可の用途（たとえば、無認可無線周波数スペクトル帯域におけるＷｉ−Ｆｉ用途および／もしくはＬＴＥ／ＬＴＥ−Ａ用途）のために少なくとも一部利用可能であるので、装置がアクセスを求めて競合する必要があり得る無線周波数スペクトル帯域）を介して送信を受信するように動作可能な少なくとも１つの無線周波数（ＲＦ）受信機など、少なくとも１つのＲＦ受信機を含み得る。いくつかの例では、認可無線周波数スペクトル帯域および／または無認可無線周波数スペクトル帯域は、たとえば、図１〜図５を参照して説明されたように、無線フレームおよび／またはフレームフォーマットインジケータの通信のために使用され得る。基地局受信機コンポーネント８１０は、場合によっては、認可無線周波数スペクトル帯域と無認可無線周波数スペクトル帯域とのための別個の受信機を含み得る。別個の受信機は、いくつかの例では、認可無線周波数スペクトル帯域上で通信するための認可ＲＦスペクトル帯域受信機コンポーネント８１２、および無認可無線周波数スペクトル帯域上で通信するための無認可ＲＦスペクトル帯域受信機コンポーネント８１４の形態をとり得る。基地局受信機コンポーネント８１０はまた、他の無線周波数スペクトル帯域を介して通信するための、および／または他の無線アクセス技術（たとえば、Ｗｉ−Ｆｉ）を介して通信するための受信機コンポーネントを含み得る。認可ＲＦスペクトル帯域受信機コンポーネント８１２および／または無認可ＲＦスペクトル帯域受信機コンポーネント８１４を含む基地局受信機コンポーネント８１０は、図１に関して説明したワイヤレス通信システム１００の１つまたは複数の通信リンクなど、ワイヤレス通信システムの１つまたは複数の通信リンク上で様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１２４】
[0137]いくつかの例では、基地局送信機コンポーネント８３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。基地局送信機コンポーネント８３０は、場合によっては、認可無線周波数スペクトル帯域と無認可無線周波数スペクトル帯域とのための別個の送信機を含み得る。別個の送信機は、いくつかの例では、認可無線周波数スペクトル帯域上で通信するための認可ＲＦスペクトル帯域送信機コンポーネント８３２、および無認可無線周波数スペクトル帯域上で通信するための無認可ＲＦスペクトル帯域送信機コンポーネント８３４の形態をとり得る。認可ＲＦスペクトル帯域送信機コンポーネント８３２および／または無認可ＲＦスペクトル帯域送信機コンポーネント８３４を含む基地局送信機コンポーネント８３０は、図１に関して説明したワイヤレス通信システム１００の１つまたは複数の通信リンクなど、ワイヤレス通信システムの１つまたは複数の通信リンク上で様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１２５】
[0138]いくつかの例では、基地局フレームフォーマットインジケータコンポーネント８２０は、ＵＥにフレームフォーマットインジケータを送信し得る。いくつかの例では、基地局フレームフォーマットインジケータコンポーネント８２０はまた、ＴＤＤ構成コンポーネント８３５と符号化コンポーネント８４０とを含み得る。
【０１２６】
[0139]いくつかの例では、フレームフォーマットインジケータは、ＴＤＤ構成に関連付けられたコードワードを含み得る。符号化コンポーネント８４０は、基地局８０５に関連付けられたシーケンスでコードワードをスクランブルすることができる。代替的または追加的に、シーケンスは、ＰＬＭＮ（public land mobile network）識別に関連付けられ得る。符号化コンポーネント８４０は、次いで、スクランブルされたコードワードを、４位相シフトキーイング（ＱＰＳＫ）で変調し得る。いくつかの例では、符号化コンポーネント８４０は、コードワードを、基地局８０５の２つのアンテナポートに関連付けられた空間周波数ブロックコード（ＳＦＢＣ）シンボルにマップし得る。いくつかの例では、２つのアンテナポートは、チャネル使用ビーコン信号（ＣＵＢＳ）送信用のアンテナポートに対応し得る。いくつかの例では、符号化コンポーネント８４０は、ＳＦＢＣシンボルを、ＲＢの拡大リソース要素グループ（ｅＲＥＧ）にマップすることができる。
【０１２７】
[0140]フレームフォーマットインジケータで構成されたＲＢは、システム帯域幅のエッジと、システム帯域幅の直流（ＤＣ）キャリアとの間にあり得る。いくつかの例では、符号化コンポーネント８４０は、フレームフォーマットインジケータを、第２の基地局からの第２のフレームフォーマットインジケータと多重化することができる。
【０１２８】
[0141]いくつかの例では、基地局フレームフォーマットインジケータコンポーネント８２０は、無線フレームのダウンリンクサブフレームの前に、フレームフォーマットインジケータを直交周波数分割多重（ＯＦＤＭ）シンボル中で送信し得る。いくつかの例では、ＯＦＤＭシンボルはチャネル使用ビーコン信号（ＣＵＢＳ）を運ぶこともできる。
【０１２９】
[0142]いくつかの例では、ＴＤＤ構成コンポーネント８３５は、現在の無線フレーム用のＴＤＤ構成を決定することができる。ＴＤＤ構成は、アップリンクサブフレームと、ダウンリンクサブフレームと、特殊サブフレームとを含み得る。ＴＤＤ構成コンポーネント８３５は、アップリンクサブフレーム、ダウンリンクサブフレーム、および特殊サブフレームの利用可能構成を決定することができる。ＴＤＤ構成コンポーネント８３５は次いで、ＴＤＤ構成を指示するためのコードを決定し得る。いくつかの例では、コードは、２つの特殊サブフレームの間のダウンリンクサブフレームの数を指示し得る。ＴＤＤ構成コンポーネント８３５は、コードワードを生成するために、コードを繰り返し得る。ＴＤＤ構成コンポーネント８３５は次いで、コードワードを、フレームフォーマットインジケータ中に含めるために符号化コンポーネント８４０に渡す。
【０１３０】
[0143]いくつかの例では、ＴＤＤ構成コンポーネント８３５は、ＴＤＤ構成が、１次セルからのクロスキャリアグラントに対応する少なくとも１つのアップリンクサブフレームを含むと決定し得る。基地局フレームフォーマットインジケータコンポーネント８２０は、対応するフレームフォーマットインジケータを、スケジュールされたアップリンクサブフレームの少なくとも４サブフレーム前に送信し得る。いくつかの例では、ＴＤＤ構成コンポーネント８３５は、ＴＤＤ構成が、ＵＥ自己スケジュールアップリンクグラントに対応する少なくとも１つのアップリンクサブフレームを含むと決定し得る。基地局フレームフォーマットインジケータコンポーネント８２０は、対応するフレームフォーマットインジケータを、自己スケジュールされたアップリンクサブフレームの４サブフレームよりも前に送信し得る。
【０１３１】
[0144]図９は、本開示の様々な態様による、ワイヤレス通信において使用するための基地局９０５のブロック図９００を示す。いくつかの例では、基地局９０５は、図１を参照して記載した基地局１０５、および／または図８を参照して記載した基地局８０５の態様の例であり得る。基地局９０５はプロセッサでもあり得る。基地局９０５は、基地局受信機コンポーネント９１０、基地局フレームフォーマットインジケータコンポーネント９２０、および／または基地局送信機コンポーネント９３０を含み得る。これらのコンポーネントの各々は、互いに通信し得る。
【０１３２】
[0145]基地局９０５のコンポーネントは、個別にまたは集合的に、ハードウェア内の適用可能な機能の一部またはすべてを実施するように適合された、１つまたは複数の特定用途向け集積回路（ＡＳＩＣ）を使って実装され得る。代替として、機能は、１つまたは複数の集積回路上で、１つまたは複数の他の処理ユニット（またはコア）によって実施され得る。他の例では、当技術分野で知られている任意の方式でプログラムされ得る、他のタイプの集積回路（たとえば、構造化／プラットフォームＡＳＩＣ、フィールドプログラマブルゲートアレイ（ＦＰＧＡ）、および他のセミカスタムＩＣ）が使用される場合がある。各ユニットの機能はまた、全体的にまたは部分的に、１つまたは複数の汎用プロセッサまたは特定用途向けプロセッサによって実行されるようにフォーマットされた、メモリ内で具現化された命令を用いて実装され得る。
【０１３３】
[0146]いくつかの例では、基地局受信機コンポーネント９１０は、認可無線周波数スペクトル帯域（たとえば、無線周波数スペクトル帯域がいくつかの用途のために１人または複数のユーザ（たとえば、ＬＴＥ／ＬＴＥ−Ａユーザ）に認可されているので、装置がアクセスを求めて競合しない無線周波数スペクトル帯域）、ならびに／または無認可無線周波数スペクトル帯域（たとえば、無線周波数スペクトル帯域が無認可の用途（たとえば、無認可無線周波数スペクトル帯域におけるＷｉ−Ｆｉ用途および／もしくはＬＴＥ／ＬＴＥ−Ａ用途）のために少なくとも一部利用可能であるので、装置がアクセスを求めて競合する必要があり得る無線周波数スペクトル帯域）を介して送信を受信するように動作可能な少なくとも１つの無線周波数（ＲＦ）受信機など、少なくとも１つのＲＦ受信機を含み得る。いくつかの例では、認可無線周波数スペクトル帯域および／または無認可無線周波数スペクトル帯域は、たとえば、図１〜図５を参照して説明されたように、無線フレームおよび／またはフレームフォーマットインジケータの通信のために使用され得る。基地局受信機コンポーネント９１０は、場合によっては、認可無線周波数スペクトル帯域と無認可無線周波数スペクトル帯域とのための別個の受信機を含み得る。別個の受信機は、いくつかの例では、認可無線周波数スペクトル帯域上で通信するための認可ＲＦスペクトル帯域受信機コンポーネント９１２、および無認可無線周波数スペクトル帯域上で通信するための無認可ＲＦスペクトル帯域受信機コンポーネント９１４の形態をとり得る。基地局受信機コンポーネント９１０はまた、他の無線周波数スペクトル帯域を介して通信するための、および／または他の無線アクセス技術（たとえば、Ｗｉ−Ｆｉ）を介して通信するための受信機コンポーネントを含み得る。認可ＲＦスペクトル帯域受信機コンポーネント９１２および／または無認可ＲＦスペクトル帯域受信機コンポーネント９１４を含む基地局受信機コンポーネント９１０は、図１に関して説明したワイヤレス通信システム１００の１つまたは複数の通信リンクなど、ワイヤレス通信システムの１つまたは複数の通信リンク上で様々なタイプのデータおよび／または制御信号（すなわち、送信）を受信するために使用され得る。通信リンクは、認可無線周波数スペクトル帯域および／または無認可無線周波数スペクトル帯域を介して確立され得る。
【０１３４】
[0147]いくつかの例では、基地局送信機コンポーネント９３０は、認可無線周波数スペクトル帯域および／または無認可無線周波数スペクトル帯域を介して送信するように動作可能な少なくとも１つのＲＦ送信機など、少なくとも１つのＲＦ送信機を含み得る。基地局送信機コンポーネント９３０は、場合によっては、認可無線周波数スペクトル帯域と無認可無線周波数スペクトル帯域とのための別個の送信機を含み得る。別個の送信機は、いくつかの例では、認可無線周波数スペクトル帯域上で通信するための認可ＲＦスペクトル帯域送信機コンポーネント９３２、および無認可無線周波数スペクトル帯域上で通信するための無認可ＲＦスペクトル帯域送信機コンポーネント９３４の形態をとり得る。認可ＲＦスペクトル帯域送信機コンポーネント９３２および／または無認可ＲＦスペクトル帯域送信機コンポーネント９３４を含む基地局送信機コンポーネント９３０は、図１に関して説明したワイヤレス通信システム１００の１つまたは複数の通信リンクなど、ワイヤレス通信システムの１つまたは複数の通信リンク上で様々なタイプのデータおよび／または制御信号（すなわち、送信）を送信するために使用され得る。通信リンクは、認可無線周波数スペクトル帯域および／または無認可無線周波数スペクトル帯域を介して確立され得る。
【０１３５】
[0148]いくつかの例では、基地局フレームフォーマットインジケータコンポーネント９２０は、図８を参照して記載した基地局フレームフォーマットインジケータコンポーネント８２０の１つまたは複数の態様の例であり得る。基地局フレームフォーマットインジケータコンポーネント９２０は、ＴＤＤ構成コンポーネント９３５と符号化コンポーネント９４０とを含み得る。ＴＤＤ構成コンポーネント９３５および符号化コンポーネント９４０は、図８を参照して記載したＴＤＤ構成コンポーネント８３５および符号化コンポーネント８４０の１つまたは複数の態様の例であり得る。
【０１３６】
[0149]いくつかの例では、基地局フレームフォーマットインジケータコンポーネント９２０は、ｅＣＣＡコンポーネント９４５も含み得る。ｅＣＣＡコンポーネント９４５は、無認可無線周波数スペクトル帯域のチャネルが、アップリンクチャネルとして、それともダウンリンクチャネルとして使用するために利用可能であるか決定するためのｅＣＣＡ手順を実行することができる。ｅＣＣＡコンポーネント９４５が、ｅＣＣＡ手順を完了し、チャネルがダウンリンクに利用可能であると決定すると、ｅＣＣＡコンポーネント９４５は、Ｄ−ＣＵＢＳを生成し得る。ＴＤＤ構成コンポーネント９３５は次いで、無線フレーム内でいつｅＣＣＡ手順が完了されるかに少なくとも一部基づいて、利用可能ＴＤＤ構成を決定し得る。決定された利用可能ＴＤＤ構成は、ｅＣＣＡ手順が完了されてから少なくとも４サブフレーム後の第１のアップリンクサブフレームを含み得る。いくつかの例では、符号化コンポーネント９４０は、Ｄ−ＣＵＢＳを運ぶｅＲＥＧを、フレームフォーマットインジケータを運ぶようにも構成することができる。
【０１３７】
[0150]図１０は、本開示の様々な態様による、ワイヤレス通信において使用するための基地局１００５（たとえば、ｅＮＢの一部または全部を形成する基地局）のブロック図１０００を示す。いくつかの例では、基地局１００５は、図１を参照しながら説明した基地局１０５のうちの１つもしくは複数の、態様、ならびに／または図８および／もしくは図９を参照しながら説明した基地局８０５および／もしくは９０５のうちの１つもしくは複数の、態様の例であり得る。基地局１００５は、図１〜図９を参照して説明された基地局の特徴および機能のうちの少なくともいくつかを実装または容易にするように構成され得る。
【０１３８】
[0151]基地局１００５は、基地局プロセッサコンポーネント１０１０、基地局メモリコンポーネント１０１５、（基地局トランシーバコンポーネント１０５０によって表される）少なくとも１つの基地局トランシーバコンポーネント、（基地局アンテナ１０５５によって表される）少なくとも１つの基地局アンテナ、および／または基地局フレームフォーマットインジケータコンポーネント１０２０を含み得る。基地局１００５はまた、基地局通信コンポーネント１０３０および／またはネットワーク通信コンポーネント１０４０のうちの１つまたは複数を含み得る。これらのコンポーネントの各々は、１つまたは複数のバス１０３５を介して、直接的または間接的に互いに通信している場合がある。
【０１３９】
[0152]基地局メモリコンポーネント１０１５は、ランダムアクセスメモリ（ＲＡＭ）および／または読取り専用メモリ（ＲＯＭ）を含み得る。基地局メモリコンポーネント１０１５は、実行されると、基地局プロセッサコンポーネント１０１０に、ワイヤレス通信に関連して本明細書で説明する様々な機能（たとえば、ＴＤＤ構成に対応するフレームフォーマットインジケータの送信など）を実施させるように構成された命令を含む、コンピュータ可読コンピュータ実行可能ソフトウェア／ファームウェアコード１０２５を記憶し得る。代替として、コンピュータ可読コンピュータ実行可能ソフトウェア／ファームウェアコード１０２５は、基地局プロセッサコンポーネント１０１０によって直接実行可能でなくてよく、基地局１００５に（たとえば、コンパイルおよび実行されたとき）本明細書で説明する機能のうちのいくつかを実施させるように構成されてもよい。
【０１４０】
[0153]基地局プロセッサコンポーネント１０１０は、インテリジェントハードウェアデバイス、たとえば中央処理装置（ＣＰＵ）、マイクロコントローラ、ＡＳＩＣなどを含み得る。基地局プロセッサコンポーネント１０１０は、基地局トランシーバコンポーネント１０５０、基地局通信コンポーネント１０３０、および／またはネットワーク通信コンポーネント１０４０を通して受信された情報を処理し得る。基地局プロセッサコンポーネント１０１０はまた、アンテナ１０５５を通した送信のためにトランシーバコンポーネント１０５０に、１つもしくは複数の他の基地局１０５−ａおよび１０５−ｂへの送信のために基地局通信コンポーネント１０３０に、ならびに／または、図１を参照しながら説明されたコアネットワーク１３０の１つもしくは複数の態様の一例であり得るコアネットワーク１０４５への送信のためにネットワーク通信コンポーネント１０４０に送られるべき情報を処理し得る。基地局プロセッサコンポーネント１０１０は、単独で、または基地局フレームフォーマットインジケータコンポーネント１０２０とともに、ＴＤＤ構成を決定し、フレームフォーマットインジケータを生成する様々な態様を扱うことができる。
【０１４１】
[0154]基地局トランシーバコンポーネント１０５０は、パケットを変調し、変調されたパケットを送信のために基地局アンテナ１０５５に与え、基地局アンテナ１０５５から受信されたパケットを復調するように構成されたモデムを含み得る。基地局トランシーバコンポーネント１０５０は、いくつかの例では、１つまたは複数の基地局送信機コンポーネントおよび１つまたは複数の別個の基地局受信機コンポーネントとして実装され得る。基地局トランシーバコンポーネント１０５０は、認可無線周波数スペクトル帯域および無認可無線周波数スペクトル帯域における通信をサポートすることができる。基地局トランシーバコンポーネント１０５０は、アンテナ１０５５を介して、図１を参照して記載したＵＥ１１５、ならびに／または図６および／もしくは図７を参照して記載したＵＥ６１５および／もしくは７１５のうちの１つまたは複数など、１つまたは複数のＵＥまたは装置と双方向通信するように構成され得る。基地局１００５は、たとえば、複数の基地局アンテナ１０５５（たとえば、アンテナアレイ）を含み得る。基地局１００５は、ネットワーク通信コンポーネント１０４０を通してコアネットワーク１０４５と通信し得る。基地局１００５はまた、基地局通信コンポーネント１０３０を使って、基地局１０５−ａおよび１０５−ｂなど、他の基地局と通信し得る。
【０１４２】
[0155]基地局フレームフォーマットインジケータコンポーネント１０２０は、フレームフォーマットインジケータの生成および／または送信に関連して図１〜図９を参照して記載した特徴および／または機能のうちの一部または全部を実施および／または制御するように構成され得る。基地局フレームフォーマットインジケータコンポーネント１０２０、もしくは基地局フレームフォーマットインジケータコンポーネント１０２０のいくつかの部分はプロセッサを含むことができ、ならびに／または基地局フレームフォーマットインジケータコンポーネント１０２０の機能の一部もしくは全部は、基地局プロセッサコンポーネント１０１０によって、および／もしくは基地局プロセッサコンポーネント１０１０とともに実施され得る。いくつかの例では、基地局フレームフォーマットインジケータコンポーネント１０２０は、図８および／または図９を参照して記載した基地局フレームフォーマットインジケータコンポーネント８２０および／または９２０の例であり得る。
【０１４３】
[0156]図１１は、本開示の様々な態様による、ワイヤレス通信のための方法１１００の例を示すフローチャートである。明確のために、方法１１００は、図１〜図９を参照して記載されたＵＥのうちの１つまたは複数の、態様を参照して下記に記載される。いくつかの例では、ＵＥは、以下で説明される機能を実施するようにＵＥの機能要素を制御するためのコードの１つまたは複数のセットを実行し得る。追加または代替として、ＵＥは、特殊目的ハードウェアを使って、以下で説明する機能のうちの１つまたは複数を実施することができる。
【０１４４】
[0157]ブロック１１０５において、方法１１００は、無認可無線周波数スペクトル帯域中での送信のための送信機会に関連付けられたフレームフォーマットインジケータを受信することを含み得る。いくつかの例では、フレームフォーマットインジケータは、送信機会の第１のサブフレームの前に受信され得る。他の例では、フレームフォーマットインジケータは、送信機会の中間部分中に受信され得る。ブロック１１１０において、方法１１００は、フレームフォーマットインジケータを復号することを含み得る。いくつかの例では、フレームフォーマットインジケータは、送信機会の第１のダウンリンクサブフレームの終了前に復号され得る。いくつかの例では、フレームフォーマットインジケータは、ＴＤＤ構成に関連付けられたコードワードを含み得、フレームフォーマットインジケータを復号することは、コードワードを復号することを含み得る。ブロック１１１５において、方法１１００は、復号フレームフォーマットインジケータに少なくとも一部基づいて、送信機会のためのＴＤＤ構成を決定することを含み得る。ブロック１１２０において、方法１１００は、決定されたＴＤＤ構成に基づいて、送信機会のサブフレームを構成することを含み得る。サブフレームは、アップリンクサブフレーム、ダウンリンクサブフレーム、第１の特殊サブフレームＳ、または第２の特殊サブフレームＳ’として構成され得る。ブロック１１０５、１１１０、１１１５、および１１２０における動作は、図６および図７を参照して記載したＵＥフレームフォーマットインジケータコンポーネント６２０および／または７２０を使って実行され得る。
【０１４５】
[0158]このようにして、方法１１００はワイヤレス通信を提供し得る。方法１１００は一実装形態にすぎず、方法１１００の動作は、他の実装形態が可能であるように並べ替えられ、または場合によっては修正され得ることに留意されたい。
【０１４６】
[0159]図１２は、本開示の様々な態様による、ワイヤレス通信のための方法１２００の例を示すフローチャートである。明快のために、方法１２００は、図１〜図９を参照して記載された基地局のうちの１つまたは複数の、態様を参照して下記に記載される。いくつかの例では、基地局は、以下に説明する機能を実施するために基地局の機能要素を制御するためにコードの１つまたは複数のセットを実行し得る。追加または代替として、基地局は、特殊目的ハードウェアを使って、以下で説明する機能のうちの１つまたは複数を実施することができる。
【０１４７】
[0160]ブロック１２０５において、方法１２００は、無認可無線周波数スペクトル帯域中での送信のための送信機会について時分割複信（ＴＤＤ）構成を決定することを含み得る。ブロック１２１０において、方法１２００は、送信機会に関連付けられたフレームフォーマットインジケータを生成することを含み得、フレームフォーマットインジケータはＴＤＤ構成に少なくとも一部基づく。いくつかの例では、フレームフォーマットインジケータを生成することは、ＴＤＤ構成に関連付けられたコードワードをシーケンスでスクランブルすることを含み得る。スクランブルされたコードワードは、４位相シフトキーイング（ＱＰＳＫ）で変調され、空間周波数ブロックコード（ＳＦＢＣ）シンボルにマップされ得る。ＳＦＢＣシンボルは、リソースブロック（ＲＢ）の拡大リソース要素グループ（ｅＲＥＧ）にマップされ得る。ブロック１２１５において、方法１２００は、送信機会に関連付けられたフレームフォーマットインジケータを送信することを含み得る。ブロック１２０５、１２１０、および１２１５における動作は、図８、図９、および図１０を参照して記載した基地局フレームフォーマットインジケータコンポーネント８２０、９２０、および／または１０２０を使って実行され得る。
【０１４８】
[0161]このようにして、方法１２００はワイヤレス通信を提供し得る。方法１２００は一実装形態にすぎず、方法１２００の動作は、他の実装形態が可能であるように並べ替えられ、または場合によっては修正され得ることに留意されたい。
【０１４９】
[0162]図１３は、本開示の様々な態様による、ワイヤレス通信のための方法１３００の例を示すフローチャートである。明快のために、方法１３００は、図１〜図９を参照して記載された基地局のうちの１つまたは複数の、態様を参照して下記に記載される。いくつかの例では、基地局は、以下に説明する機能を実施するために基地局の機能要素を制御するためにコードの１つまたは複数のセットを実行し得る。追加または代替として、基地局は、特殊目的ハードウェアを使って、以下で説明する機能のうちの１つまたは複数を実施することができる。
【０１５０】
[0163]ブロック１３０５において、方法１３００は、拡張クリアチャネル評価（ｅＣＣＡ）を実行することを含み得る。ブロック１３１０において、方法１３００は、ｅＣＣＡに少なくとも一部基づいて、無認可無線周波数スペクトル帯域中での送信のための送信機会について時分割複信（ＴＤＤ）構成を決定することを含み得る。いくつかの例では、ｅＣＣＡは、ＴＤＤ構成のアップリンクサブフレームよりも、少なくとも４サブフレーム前に完了され得る。ブロック１３１５において、方法１３００は、送信機会に関連付けられたフレームフォーマットインジケータを生成することを含み得、フレームフォーマットインジケータはＴＤＤ構成に少なくとも一部基づく。いくつかの例では、フレームフォーマットインジケータを生成することは、ＴＤＤ構成に関連付けられたコードワードをシーケンスでスクランブルすることを含み得る。スクランブルされたコードワードは、４位相シフトキーイング（ＱＰＳＫ）で変調され、空間周波数ブロックコード（ＳＦＢＣ）シンボルにマップされ得る。ＳＦＢＣシンボルは、リソースブロック（ＲＢ）の拡大リソース要素グループ（ｅＲＥＧ）にマップされ得る。ブロック１３２０において、方法１３００は、送信機会に関連付けられたフレームフォーマットインジケータを送信することを含み得る。ブロック１３０５、１３１０、１３１５、および１３２０における動作は、図８、図９、および図１０を参照して記載した基地局フレームフォーマットインジケータコンポーネント８２０、９２０、および／または１０２０を使って実施され得る。
【０１５１】
[0164]このようにして、方法１３００はワイヤレス通信を提供し得る。方法１３００は一実装形態にすぎず、方法１３００の動作は、他の実装形態が可能であるように並べ替えられ、または場合によっては修正され得ることに留意されたい。
【０１５２】
[0165]いくつかの例では、方法１１００、１２００、および／または１３００のうちの２つ以上からの態様が組み合わされ得る。方法１１００、１２００、および／または１３００は例示的実装形態にすぎず、方法１１００、１２００、および／または１３００の動作は、他の実装形態が可能であるように並べ替えられ、または場合によっては修正され得ることに留意されたい。
【０１５３】
[0166]本明細書に記載された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装することができ得る。ＣＤＭＡ２０００は、ＩＳ−２０００、ＩＳ−９５およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡはユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、上述のシステムおよび無線技術、ならびに、無認可および／または共有帯域幅を介したセルラー（たとえば、ＬＴＥ）通信を含む他のシステムおよび無線技術に使用されてよい。しかしながら、上記の説明は、例としてＬＴＥ／ＬＴＥ−Ａシステムを記載し、上記の説明の大部分においてＬＴＥ用語が使用されるが、本技法はＬＴＥ／ＬＴＥ−Ａの適用例以外に適用可能である。
【０１５４】
[0167]添付の図面に関して上に記載された詳細な説明は、例を説明しており、実装され得るまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味するものではない。詳細な説明は、説明した技法の理解を与える目的で、具体的な詳細を含む。しかしながら、これらの技法は、これらの具体的な詳細を伴わずに実践され得る。いくつかの事例では、説明した例の概念を不明瞭にすることを避けるために、よく知られている構造および装置がブロック図の形で示されている。
【０１５５】
[0168]情報および信号は、種々の異なる技術および技法のいずれかを使用して表され得る。たとえば、上記説明全体にわたって参照され得るデータ、命令、コマンド、情報、信号、ビット、シンボルおよびチップは、電圧、電流、電磁波、磁場もしくは磁性粒子、光学場もしくは光学粒子、またはそれらの任意の組合せによって表すことができる。
【０１５６】
[0169]本明細書の開示に関して説明した様々な例示的なブロックおよびコンポーネントは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェアコンポーネント、または本明細書で説明した機能を実施するように設計されたそれらの任意の組合せを用いて実装または実施され得る。汎用プロセッサはマイクロプロセッサであり得るが、代替として、プロセッサは、任意の従来型プロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装される場合がある。
【０１５７】
[0170]本明細書で説明した機能は、ハードウェア、プロセッサによって実行されるソフトウェア、ファームウェア、またはそれらの組合せで実装され得る。プロセッサによって実行されるソフトウェアにおいて実装された場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲の範囲および要旨内にある。たとえば、ソフトウェアの性質に起因して、上記で説明した機能は、プロセッサによって実行されるソフトウェア、ハードウェア、ファームウェア、ハード配線、またはそれらのいずれかの組合せを使用して実装され得る。機能を実装する特徴はまた、機能の一部が異なる物理的ロケーションで実装されるように分散された状態を含め、様々な位置に物理的に位置していてよい。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成がコンポーネントＡ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１５８】
[0171]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、同軸ケーブル、光ファイバケーブル、ツイストペア、デジタル加入者線（ＤＳＬ）、または赤外線、無線、およびマイクロ波などのワイヤレス技術を使用して、ソフトウェアがウェブサイト、サーバまたは他の遠隔ソースから送信される場合、同軸ケーブル、光ファイバケーブル、ツイストペア、ＤＳＬ、または赤外線、無線、およびマイクロ波などワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲内に含まれる。
【０１５９】
[0172]本開示の前の説明は、当業者が本開示を作成または使用することができるように提供される。本開示の様々な変更が当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］ワイヤレス通信のための方法であって、
基地局から、無認可無線周波数スペクトル帯域中での送信のための送信機会に関連付けられたフレームフォーマットインジケータを受信することと、
前記フレームフォーマットインジケータに少なくとも一部基づいて、前記送信機会のための時分割複信（ＴＤＤ）構成を決定することと、
を備える方法。
［Ｃ２］前記フレームフォーマットインジケータは、前記ＴＤＤ構成に関連付けられたコードワードを備える、Ｃ１に記載の方法。
［Ｃ３］ビットストリーム中で前記フレームフォーマットインジケータを受信すること、ここにおいて、前記ビットストリームの長さは、前記コードワードの巡回拡張の回数によって決定される、
をさらに備える、Ｃ２に記載の方法。
［Ｃ４］前記フレームフォーマットインジケータは、リソースブロック（ＲＢ）の少なくとも１つの拡大リソース要素グループ（ｅＲＥＧ）によって運ばれる、Ｃ１に記載の方法。
［Ｃ５］前記フレームフォーマットインジケータは、第２の基地局からの第２のフレームフォーマットインジケータと多重化される、Ｃ１に記載の方法。
［Ｃ６］前記送信機会のダウンリンクサブフレームの前に、直交周波数分割多重（ＯＦＤＭ）シンボル中で前記フレームフォーマットインジケータを受信することをさらに備える、Ｃ１に記載の方法。
［Ｃ７］前記送信機会の第１のサブフレームの前に、前記フレームフォーマットインジケータを受信することをさらに備える、Ｃ１に記載の方法。
［Ｃ８］前記送信機会の中間部分の間に、前記フレームフォーマットインジケータを受信することをさらに備える、Ｃ１に記載の方法。
［Ｃ９］前記送信機会の第１のダウンリンクサブフレームの終了前に、前記フレームフォーマットインジケータを復号することをさらに備える、Ｃ１に記載の方法。
［Ｃ１０］前記送信機会のサブフレーム中に、第２のフレームフォーマットインジケータを受信することと、
どのサブフレームで前記第２のフレームフォーマットインジケータが受信されるかに少なくとも一部基づいて、前記第２のフレームフォーマットインジケータを無効にすることと、
をさらに備える、Ｃ１に記載の方法。
［Ｃ１１］前記ＴＤＤ構成は、１次セルからのクロスキャリアグラントに対応するアップリンクサブフレーム、自己スケジュールされたアップリンクグラントに対応するアップリンクサブフレーム、ダウンリンクサブフレームおよびアップリンクサブフレーム、またはそれらの組合せのうちの少なくとも１つを備える、Ｃ１に記載の方法。
［Ｃ１２］ワイヤレス通信のための方法であって、
無認可無線周波数スペクトル帯域中での送信のための送信機会について時分割複信（ＴＤＤ）構成を決定することと、
ＵＥに、前記送信機会に関連付けられたフレームフォーマットインジケータを送信することと、前記フレームフォーマットインジケータは前記ＴＤＤ構成に少なくとも一部基づく、
を備える方法。
［Ｃ１３］前記フレームフォーマットインジケータは、前記ＴＤＤ構成に関連付けられたコードワードを備える、Ｃ１２に記載の方法。
［Ｃ１４］前記コードワードを、基地局に関連付けられたシーケンスでスクランブルすることをさらに備える、Ｃ１３に記載の方法。
［Ｃ１５］前記スクランブルされたコードワードを、４位相シフトキーイング（ＱＰＳＫ）で変調することをさらに備える、Ｃ１４に記載の方法。
［Ｃ１６］前記コードワードを、２つのアンテナポートに関連付けられた空間周波数ブロックコード（ＳＦＢＣ）シンボルにマップすることをさらに備える、Ｃ１３に記載の方法。
［Ｃ１７］前記コードワードを巡回的に数回拡張することと、
前記フレームフォーマットインジケータをビットストリーム中で送信することと、ここにおいて、前記ビットストリームの長さは、前記コードワードの巡回拡張の前記回数によって決定される、
をさらに備える、Ｃ１３に記載の方法。
［Ｃ１８］前記フレームフォーマットインジケータを、第２の基地局からの第２のフレームフォーマットインジケータと多重化することをさらに備える、Ｃ１２に記載の方法。
［Ｃ１９］前記送信機会のダウンリンクサブフレームの前に、直交周波数分割多重（ＯＦＤＭ）シンボル中で前記フレームフォーマットインジケータを送信することをさらに備える、Ｃ１２に記載の方法。
［Ｃ２０］前記送信機会の第１のサブフレームの前に、前記フレームフォーマットインジケータを送信することをさらに備える、Ｃ１２に記載の方法。
［Ｃ２１］前記送信機会の中間部分の間に、前記フレームフォーマットインジケータを送信することをさらに備える、Ｃ１２に記載の方法。
［Ｃ２２］前記送信機会のサブフレーム中に、第２のフレームフォーマットインジケータを送信することをさらに備える、Ｃ１２に記載の方法。
［Ｃ２３］拡張クリアチャネル評価（ｅＣＣＡ）を実行することと、
前記ｅＣＣＡに少なくとも一部基づいて前記ＴＤＤ構成を決定することと、
をさらに備える、Ｃ１２に記載の方法。
［Ｃ２４］ワイヤレス通信のための方法であって、
複数のＴＤＤ構成を識別することと、ここにおいて、前記複数のＴＤＤ構成の各々は、異なる数のアップリンクサブフレームおよびダウンリンクサブフレームを備え、
前記複数のＴＤＤ構成から、利用可能なＴＤＤ構成を識別することと、ここにおいて、前記利用可能ＴＤＤ構成は、フレームフォーマットインジケータによって指示され、
を備える方法。
［Ｃ２５］前記複数のＴＤＤ構成の各々は、１０個のサブフレームを備える、Ｃ２４に記載の方法。
［Ｃ２６］前記複数のＴＤＤ構成の各々は、少なくとも１つの特殊サブフレームを備える、Ｃ２４に記載の方法。
［Ｃ２７］前記複数のＴＤＤ構成の各々の第１のサブフレームは、ダウンリンクサブフレームを備える、Ｃ２４に記載の方法。
［Ｃ２８］前記複数のＴＤＤ構成の各々の最終サブフレームは、特殊サブフレームを備える、Ｃ２４に記載の方法。
［Ｃ２９］前記複数のＴＤＤ構成は、
１つのダウンリンクサブフレームと、第１の特殊サブフレームと、７つのアップリンクサブフレームと、第２の特殊サブフレームとを備える第１のＴＤＤ構成と、
２つのダウンリンクサブフレームと、第１の特殊サブフレームと、６つのアップリンクサブフレームと、第２の特殊サブフレームとを備える第２のＴＤＤ構成と、
３つのダウンリンクサブフレームと、第１の特殊サブフレームと、５つのアップリンクサブフレームと、第２の特殊サブフレームとを備える第３のＴＤＤ構成と、
４つのダウンリンクサブフレームと、第１の特殊サブフレームと、４つのアップリンクサブフレームと、第２の特殊サブフレームとを備える第４のＴＤＤ構成と、
５つのダウンリンクサブフレームと、第１の特殊サブフレームと、３つのアップリンクサブフレームと、第２の特殊サブフレームとを備える第５のＴＤＤ構成と、
６つのダウンリンクサブフレームと、第１の特殊サブフレームと、２つのアップリンクサブフレームと、第２の特殊サブフレームとを備える第６のＴＤＤ構成と、
７つのダウンリンクサブフレームと、第１の特殊サブフレームと、１つのアップリンクサブフレームと、第２の特殊サブフレームとを備える第７のＴＤＤ構成と、
９つのダウンリンクサブフレームと第２の特殊サブフレームとを備える第８のＴＤＤ構成と、
を備える、Ｃ２４に記載の方法。
［Ｃ３０］ワイヤレス通信のための装置であって、
プロセッサと、
前記プロセッサと電子通信するメモリと、
前記メモリに記憶された命令と、を備え、前記命令は、
基地局から、無認可無線周波数スペクトル帯域中での送信のための送信機会に関連付けられたフレームフォーマットインジケータを受信し、
前記フレームフォーマットインジケータに少なくとも一部基づいて、前記送信機会について時分割複信（ＴＤＤ）構成を決定するように、前記プロセッサによって実行可能である装置。
【図１】
0006629295.tif 000003
【図２】
0006629295.tif 000004
【図３Ａ】
0006629295.tif 000005
【図３Ｂ】
0006629295.tif 000006
【図４】
0006629295.tif 000007
【図５Ａ】
0006629295.tif 000008
【図５Ｂ】
0006629295.tif 000009
【図６】
0006629295.tif 000010
【図７】
0006629295.tif 000011
【図８】
0006629295.tif 000012
【図９】
0006629295.tif 000013
【図１０】
0006629295.tif 000014
【図１１】
0006629295.tif 000015
【図１２】
0006629295.tif 000016
【図１３】
0006629295.tif 000017